(57)【要約】【課題】  本発明は、相互に同調を取り合う相互適応を人間−機械系において実現し、歩行介助の現場に適用可能にすることを目的とする。【解決手段】  本発明による歩行介助システムは、歩行者の運動リズムを検出するセンサ部２と、センサ部２で検出された運動リズムの測定値を記録する記録部３３と、歩行者の運動リズムに関する目標値を設定する目標設定部と、測定値と目標値の差異に基づいてタイミング信号を生成するタイミング生成部３６と、タイミング生成部３６により生成されたタイミング信号に基づいて、歩行者が認識可能なリズム刺激を発生する刺激発生部４とを備える。【選択図】  図３
2010264320.tif 000002
【特許請求の範囲】
【請求項１】
歩行者の運動リズムを含む動きを検出する加速度センサからなるセンサ部と；
前記センサ部で検出された前記運動リズムを含む動きの測定値を記録する記録部とを備え；
前記加速度センサで検出された前記歩行者の動きから前記歩行者の三次元の腰又は腹部の揺動運動の軌跡を求め、前記揺動運動の軌跡に関する評価指標から歩行者の歩容を評価する；
歩容評価システムであって；
水平面上の鉛直、左右方向における歩行運動について、軌跡を算出する上での速度の中心となる速度のベースラインを歩行周期に基づく速度の周期的変化から短時間スケールにおける速度の平均として算出し、前記歩行軌跡を、前記速度のベースラインからの前記センサ部で検出された加速度の計測値を積分して求められた速度との変位分を積分することにより求め；
水平面上の進行方向における歩行運動について、前記センサ部で検出された加速度の計測値を積分して求められた速度から、当該求められた速度の短時間スケールにおける平均を差し引いてオフセットを除去した速度を求め、前記オフセットを除去した速度の振幅に定数倍したものを短時間スケールにおける平均速度として求め、前記オフセットを除去した速度に前記短時間スケールにおける平均速度を加えて、前記歩行軌跡の進行方向の速度を求める；
歩容評価システム。
【請求項２】
前記評価指標として、前記歩行者の左右移動量、上下移動量、前記左右移動量の非対称性、前記上下移動量の非対称性、歩幅、前記歩幅の非対称性、歩行周期、前記歩行周期の非対称性、移動量と折り返し量の比、上下振幅と体幹持ち上げ量の比、歩行周期の揺らぎ、重心の揺れ又は接地タイミングの非対称性を用いる；
請求項１に記載の歩容評価システム。
【請求項３】
コンピュータにより実行される方法であって；
加速度センサを用いて歩行者の動きを検出する工程と；
検出された前記歩行者の動きから前記歩行者の三次元の腰又は腹部の揺動運動の軌跡を求める工程と；
前記揺動運動の軌跡に関する評価指標から歩行者の歩容を評価する工程とを備える；
歩容評価方法であって；
水平面上の鉛直、左右方向における歩行運動について、軌跡を算出する上での速度の中心となる速度のベースラインを歩行周期に基づく速度の周期的変化から短時間スケールにおける速度の平均として算出し、前記歩行軌跡を、前記速度のベースラインからの前記センサ部で検出された加速度の計測値を積分して求められた速度との変位分を積分することにより求め；
水平面上の進行方向における歩行運動について、前記センサ部で検出された加速度の計測値を積分して求められた速度から、当該求められた速度の短時間スケールにおける平均を差し引いてオフセットを除去した速度を求め、前記オフセットを除去した速度の振幅に定数倍したものを短時間スケールにおける平均速度として求め、前記オフセットを除去した速度に前記短時間スケールにおける平均速度を加えて、前記歩行軌跡の進行方向の速度を求める；
歩容評価方法。
【請求項４】
前記評価指標として、前記歩行者の左右移動量、上下移動量、前記左右移動量の非対称性、前記上下移動量の非対称性、歩幅、前記歩幅の非対称性、歩行周期、前記歩行周期の非対称性、移動量と折り返し量の比、上下振幅と体幹持ち上げ量の比、歩行周期の揺らぎ、重心の揺れ又は接地タイミングの非対称性を用いる；
請求項３に記載の歩容評価方法。
【発明の詳細な説明】
【技術分野】
【０００１】
本発明は、歩行介助システムに関する。詳しくは高齢者や障害者の歩行運動支援やリハビリテーション支援のための歩行介助システムに関する。
【背景技術】
【０００２】
高齢者や歩行障害者の歩行介助は、患者と理学療法士の協調歩行の形態をとりつつ行われることが多い。このような人間同士のコミュニケーションを活用する介助方法が有効である理由は、患者と療法士がコミュニケーションを介して相互に身体運動を適応させあう中で、状況に応じた歩行介助機能を時々刻々と創出できるからである（非特許文献１参照）。例えば、音楽運動療法では、療法士の演奏する音楽と患者の身体運動が、相互にリズムやタイミングを合わせることで運動機能の改善が目指されており、その有効性がいま注目されている（非特許文献２参照）。
【０００３】
一方、現状での一般的な介助支援システムとしては、バイオフィードバックを用いる療法があげられる。これは、患者自身が認知できない筋電位などの生体信号を、認知しうる感覚情報としてフィードバックし、患者自身が運動を意識的に制御し運動機能の獲得を支援するシステムである（非特許文献３参照）。他方、実際に、バイオフィードバック療法中に見られた効果が，訓練後において，効果の持続性が確認されないという事例も多数報告されている（非特許文献４参照）。
【０００４】
また、ロボット技術の発達とともに、力学的アクチュエーターを身体に装着して介助を行う介助システムも提案されてきている。例えば、筋電位に基づいてモーターを駆動する電動義手や電動義足に関わるシステムである。最近ではパワーアシスト装置として、脚に直接装着して歩行運動を支援するシステムも開発されている（非特許文献５参照）。これらは上記のバイオフィードバックの一種とも考えられるが、身体運動を直接カ学的に操作するところが特徴である。
【０００５】
一方、身体運動に同期したリズム刺激によって、歩行などの運動テンポをコントロールする方法が発明者らにより既に提案されている（特許文献１参照）。運動する者の運動リズムをセンサによって検出し、ペースメーカーで検出した運動リズムとその目標値との差異に基づいてタイミングを生成し、ヘッドホン等でリズム刺激として運動する者の運動テンポにフィードバックさせる方法である。
【先行技術文献】
【特許文献】
【０００６】
【特許文献１】特開２００２−３３８３７６号公報（段落００１１〜００２２、図１〜図３等）
【非特許文献】
【０００７】
【非特許文献１】「寝たきりにさせない介護術」、長谷川、中島共著、Ｐ．２９９−３０９、医学芸術社、２００１年
【非特許文献２】「音楽療法研究」、櫻林仁著、音楽之友社、１９９６年
【非特許文献３】「バイオフィードバック療法」、長谷川公雄著、Ｊｏｕｒｎａｌ  ｏｆ  ｃｌｉｎｉｃａｌｒｅｈａｂｉｌｉｔａｔｉｏｎ  １２−１，  Ｐ．６８−８６、２００３年
【非特許文献４】「Ｂｉｏｆｅｅｄｂａｃｋ  ｔｈｅｒａｐｙ  ｉｎ  ｒｅｈａｂｉｌｉｔａｔｉｏｎ  ｍｅｄｉｃｉｎｅ、Ｙ．  Ｏｋｉｊｉｍａ著、Ｐｒｉｎｃｉｐｌｅ  ａｎｄ  Ｐｒａｃｔｉｃｅ  Ｊａｐａｎ  Ｒｅｈａｂｉｌｉｔａｔｉｏｎ  Ｍｅｄｉｃｉｎｅ，  ３４，  Ｐ．６１４−６２３、１９９７年
【非特許文献５】「Ｐｏｗｅｒ  ａｓｓｉｓｔ  ｃｏｎｔｒｏｌ  ｆｏｒ  ｌｅｇ  ｗｉｔｈ  ｈａｌ−３  ｂａｓｅｄ  ｏｎ  ｖｉｒｔｕａｌ  ｔｏｒｑｕｅ  ａｎｄ  ｉｍｐｅｎｄａｎｃｅ  ａｄｊｕｓｔｍｅｎｔ」、Ｓ．  Ｌｅｅ  ａｎｄ  Ｙ．  Ｓａｎｋａｉ著、Ｐｒｏｃ  ｏｆ  ２００２  ＩＥＥＥ  Ｉｎｔｅｒｎａｔｉｏｎａｌ  Ｃｏｎｆｅｒｅｎｃｅ  ｏｎ  Ｓｙｓｔｅｍｓ，  Ｍａｎ  ａｎｄ  Ｃｙｂｅｒｎｅｔｉｃｓ  （ＳＭＣ２００２），  Ｈａｍｍａｍｅｔ，Ｔｕｎｉｓｉａ、Ｐ．ＴＰＩＢ３    ２００２年
【発明の概要】
【発明が解決しようとする課題】
【０００８】
しかし、バイオフィードバックを用いるシステムの目的とするところは、目標となる理想的状態を達成するように、患者が介助システムに一方的に適応するものであり、上述したような相互に歩み寄る「相互適応」を介して運動機能の創出を支援するという目的からは大きく異なっている。また、効果の持続性が確認されないという事例あり、このような背景から、特に、歩行介助のような領域においては、相互適応的な機能創出過程を支援できるシステム開発が必要であった。
【０００９】
また、これらのパワーアシスト装置は、人間のコミュニケ−ションというよりも、運動系に偏った支援システムである。しかも、モーター等のカ学的なハードウェアを必要とするため、その重量やサイズが大きくなってしまうという問題があった。さらに、力学的な駆動部を身体に直接装着するために、誤動作の際には患者が危険にさらされてしまうという、本質的な限界も指摘されていた。
【００１０】
また、リズム刺激をペースメーカーとして用いる方法は、背景技術の抱える問題を克服する上で、有効であることが期待される。すなわち、人間同士のコミュニケーションを志向でき、相互適応的な機能創出過程を支援できるシステム開発の可能性が想定される。また、力学的なハードウェアを必要としないので、重量やサイズが大きくなってしまう、誤動作の際には患者が危険にさらされてしまうという問題も生じない。
しかしながら、リズムの相互引き込みを活用し相互適応的に人間−機械系をコントロールするという思想は、発明者らがその後に提案した未公開の非線形システムの制御手法（関係的システム制御手法）（特願平２００４−３４１７４号）によるものであり、この発明の手法を活用することによって、可能となるものであった。
【００１１】
また、介助効果の評価に関して、従来は、介助の現場における医師や理学療法士の主観的な症状記述に基づく評価がなされ、その一方で、光学式位置計測装置や床反力装置という極めて大掛かりな運動力学的解析装置が研究目的に用いられていた。つまり介助現場の主観的評価と研究目的の評価の中間的領域における評価手法が欠落していた。また、歩行を表現する歩容についても、これをを客観的に評価する手法が求められていた。
【００１２】
したがって、本発明は、まず、発明者らによって提案されている、リズム刺激をペースメーカーとして用いる方法と、相互適応を人間−機械系において実現する関係的システム制御手法を組み合わせることによって、まず、リズムの相互引き込みを活用し相互適応的に人間−機械系をコントロールすることを目的とする。さらに、これらの技術を、リズム刺激によって歩行などの運動テンポをコントロールする段階から発展させて、高齢者や障害者を対象とした歩行介助やリハビリテーションにおける支援のための歩行介助システムを提供することを目指す。このためには、次のような問題が残されている。
【００１３】
まず、様々な歩行障害の介助やリハビリテーションに対応できる、歩行運動の計測とリズム刺激の方法が開発されなければならないという問題がある。例えば、脳血管障害に起因する片麻痺歩行やパーキンソン病に起因する加速歩行やすくみ足など、個別の障害を踏まえた運動計測と刺激提示の方法が必要である。
【００１４】
また、歩行介助やリハビリテ−ションによって、歩行運動がどのように改善されるかを評価できる方法が開発されなければならないという問題がある。つまり、リズム刺激をペースメーカーとして用いる方法と、相互適応を人間−機械系において実現する関係的システム制御手法を歩行介助に適用した場合を含め、歩行介助の改善効果をどのように評価するのかという問題が残されている。さらに、歩行者の歩容について客観的な評価方法がなく、どのように評価するのかという問題が残されている。
【００１５】
以上のことから、本発明は、相互に同調を取り合う相互適応を人間−機械系において実現し、さらに、歩行介助の現場に適用可能にすることを目的とする。
また、歩行介助システムを使用した場合の歩行運動の改善効果を客観的に評価できる評価方法を提供することを目的とする。
さらに、歩容を客観的に評価できる評価方法を提供することを目的とする。
【課題を解決するための手段】
【００１６】
上記課題を解決するために、請求項１に記載の歩行介助システムは、例えば図３に示すように、歩行者の運動リズムを検出するセンサ部２と、センサ部２で検出された運動リズムの測定値を記録する記録部３３と、歩行者の運動リズムに関する目標値を設定する目標設定部３４と、測定値と目標値とに基づいてタイミング信号を生成するタイミング生成部３６と、タイミング生成部３６により生成されたタイミング信号に基づいて、歩行者が認識可能なリズム刺激を発生する刺激発生部４とを備える。
【００１７】
このように構成すると、相互に同調を取り合う相互適応を人間−機械系において実現し、歩行介助の現場に適用できる。
【００１８】
また、請求項２に記載の発明は、請求項１に記載の歩行介助システムにおいて、例えば図４に示すように、歩行者の運動リズムとタイミング信号とは非線形的な同調状態を形成し、目標値は同調状態を変化させるパラメータとして用いられる。
【００１９】
このように構成すると、人間の運動リズムと歩行介助システムのタイミング信号とが相互に同調し合い、かかる同調状態に目標値を付与して同調の周波数や周期を望ましい方に制御する非線形制御システム（関係的システム）を構成できる。これにより目標値を適宜調整して、多様な障害状態にある歩行者の歩行介助に適用できる。
【００２０】
非線形システムの制御は関係的システムを用いることにより初めて実現できる。本歩行介助システムに次のような関係的システム制御手法を導入する。つまり、本体部を、非線形システムとしての動的振舞を有する非線形システムモジュール（ＮＬＳモジュール）１３と非線形システムモジュール１３にフィードバックを行うフィードバックシステムモジュール１４から構成される。非線形システムモジュール１３は、同じく非線形振動系としての性質を有する制御対象としての歩行者１２との間で、相互作用における引き込みを介して同調状態を成立させる。フィードバックシステムモジュール１４は、非線形システムモジュール１３と歩行者１２との同調状態において、同調に係わる関係量１５を計算し、同調に係わる関係量１５と目標とする関係量とを比較することにより、適切なフィードバック制御量を計算し、同調に係わる関係量１５を変化させる非線形システムモジュール１３のパラメータを調整するようフィードバックをかける。これによって、同調に係わる関係量１５を目標とする関係量に「相互適応」的に収束させることにより、制御対象１２を制御するものである。
【００２１】
また、請求項３に記載の発明は、請求項２に記載の歩行介助システムにおいて、同調状態は引き込み現象を有する。
【００２２】
ここにおいて、引き込み現象とは、異なる非線形振動の間でダイナミクスが相互適応する過程であり、異なる振動数の非線形振動が相互作用を介して自発的に同調状態に至る現象をいう。このように構成すると、歩行運動における引き込み現象に着目して、かかる相互適用型インフェース技術を高め、歩行運動における安定性を高められる。これにより、高齢者の転倒防止等に応用できる。
【００２３】
また、請求項４に記載の発明は、請求項２又は請求項３に記載の歩行介助システムにおいて、目標設定部３４は目標値を外部から調整可能とし、運動リズムとリズム刺激との差異を調整可能とする。
ここにおいて、外部から調整可能とは外部から設定入力が可能なこと及び押しボタンや可変抵抗等で調整可能なことを含む。このように構成すると、脚接地と音刺激のタイミングのずれを調整でき、パーキンソン病等に現れる加速歩行やすくみ足に適用して、歩行運動の促進や抑制が可能となり、これらの障害を改善できる。
【００２４】
また、請求項５に記載の発明は、請求項１乃至請求項４のいずれか１項に記載の歩行介助システムにおいて、センサ部２は左右両足にそれぞれセンサ２１を有し、それぞれのセンサ２１はそれぞれ左右両足の運動リズムの測定値を検出し、目標設定部３４は左右のリズム刺激に対してそれぞれ目標値を設定可能であり、タイミング生成部３６は、２組の測定値と目標値の組み合わせに基づいて左右のリズム刺激に係るそれぞれのタイミング信号を生成し、刺激発生部４はそれぞれのタイミング信号に基づいて左右の耳又は目にそれぞれリズム刺激を発生する。
【００２５】
このように構成すると、左右脚の歩行運動を個別に制御でき、片麻痺歩行等の非対称な歩行障害に適用でき、これらの歩行障害を改善できる。
【００２６】
また、請求項６に記載の発明は、請求項１乃至請求項５のいずれか１項に記載の歩行介助システムにおいて、例えば図１に示すように、センサ部２は加速度センサを有し、刺激発生部４はリズム刺激として音声刺激、光刺激又は機能的電気刺激を発生し、本体部３は形態型で記録部３３と目標設定部３４とタイミング生成部３６を有する。
このように構成すると、歩行介助システムを歩行障害者を含む歩行者に装着可能に構成でき、歩行介助システムによりリハビリテーションを支援できる。
【００２７】
また、請求項７に記載の歩行介助評価方法は、センサを用いて歩行者Ｐの動きを検出する工程と、検出された動きから歩行者Ｐの歩行軌跡を求める工程と、歩行軌跡に関する評価指標の時間的変化から歩行介助の改善効果を評価する工程とを備える。
【００２８】
このように構成すると、歩行介助システムを使用した場合の歩行運動の改善効果を評価できる。相互適応を用いる歩行介助システムを使用した場合にも適応できる。第１に、個別の患者の歩行運動にかかわる評価指標の時系列データから個別の患者についての改善効果を評価できる。例えば、歩行運動の左右非対称性による片麻痺歩行の評価が可能である。また、歩行周期を評価指標に選べば、その時間変化による加速歩行やすくみ足の評価が可能である。第２に、歩行介助システム使用前と使用中の評価指標の変化から、システム使用による効果を評価できる。この場合に目標値を種々変化させて、どのように設定したら効果が大になるかも評価できる。以上により、歩行介助の改善効果に関する適切な評価が期待される。また、コンピュータで解析処理するのでリアルタイムの評価が可能である。
【００２９】
また、請求項８に記載の発明は、請求項７に記載の歩行介助評価方法において、評価指標として歩行軌跡の非対称性又は移動量に対する折り返し比を用いる。
このように構成すると、高精度で効率的に評価結果を得られる。
【００３０】
また、請求項９に記載の歩容助評価方法は、センサを用いて歩行者の動きを検出する工程と、検出された前記動きから歩行者の歩行軌跡を求める工程と、前記歩行軌跡に関する評価指標の時間的変化から歩行者の歩容を評価する工程とを備える。
このように構成すると、歩行者の歩容を客観的に評価するための評価方法を提供できる。
【発明の効果】
【００３１】
本発明によれば、相互に同調を取り合う協調関係を人間−機械系において実現でき、歩行介助の現場に適用可能である。
また、相互適応を利用する歩行介助システムを使用した場合の歩行運動の改善効果を評価できる。
【図面の簡単な説明】
【００３２】
【図１】歩行者介助システムを説明するための模式図である。
【図２】歩行者介助システムの外観を例示する図である。
【図３】歩行者介助システムの構成例を示す図である。
【図４】人間−機械系をコントロールするための非線形システムを模式的に示す図である。
【図５】加速度センサで歩行状態をモニターした例を示す図である。
【図６】歩行時の転倒防止効果の例を示す図である。
【図７】片麻痺への適用に関する運動力学的解析結果の例を示す図である。
【図８】加速歩行の緩和効果の例を示す図である。
【図９】第２の実施の形態における加速度センサの装着状態例を示す図である。
【図１０】左右方向の移動量計算を示す図である。
【図１１】健常者と片麻痺患者の歩行軌跡の例を比較した図である。
【図１２】健常者と片麻痺患者の歩行軌跡の例を比較した図である。
【図１３】速度による腹部軌跡の変化の例を示す図である。
【図１４】歩行パラメータの推移の例を示す図である。
【図１５】歩行介助システム使用の効果の例を示す図である。
【発明を実施するための形態】
【００３３】
以下に、図面に基づき本発明の実施の形態について説明する。
【００３４】
図１に本発明の第１の実施の形態における歩行者介助システム１を説明するための模式図を示す。第１の実施の形態はシステムを高齢者や障害者の歩行介助に利用する例である。歩行者Ｐはセンサ部２として加速度センサを左右両足首に、本体部３を腰に、刺激発生部４としてヘッドホンを頭に装着している。歩行者介助システム１全体をウエアラブル・ユニットとしたもので、本体部３は携帯型のコンピュータを主としており、歩行者用の制御プログラム（アルゴリズム５）を内蔵し、センサ部２から運動リズムとしての歩行リズムの測定値を受信し、測定された歩行リズムと歩行者用に予め設定された歩行リズムの目標値に基づいてタイミング信号を生成し、タイミング信号を用いてヘッドホン４にリズム刺激としてのリズム音を送信する。本体部３と加速度センサ２間、本体部３とヘッドホン４間の通信には有線又は無線通信が用いられ、例えばブルーテゥース等を使用する。歩行者Ｐはヘッドホン４からリズム刺激を聴きながら歩行する。
【００３５】
本体部３の携帯型コンピュータには、アルゴリズム５により仮想空間の仮想ロボットを形成する。仮想ロボットはタイミング信号からリズム音を生成し、歩行リズムは足音として合成され、歩行者Ｐにあたかも誰かと並んで一緒に歩いているような感覚を与える。すなわち、仮想ロボットと実空間の歩行者Ｐの間で、足音の交換による身体的インタラクションの過程に共創型インタフェース技術が用いられているのである。これによってロボットと人間の歩行リズムを同調させ、歩行者Ｐの歩行運動の安定化を実現するのである。このようにして、高齢者の転倒防止に加えて、パーキンソン病や片麻痺など多くの歩行障害の症状を緩和させることができる。
【００３６】
図２に歩行者介助システム１の外観を例示する。図２（ａ）は歩行者介助システム１を構成する各機器の外観を示し、図２（ｂ）は歩行者Ｐが歩行者介助システム１を装着した状態を示す。２は左右それぞれの足首に装着するセンサ部で、加速度センサ、ＣＰＵ、無線モジュール、バッテリー等を搭載している。３は本体部で携帯型コンピュータ３Ａと無線型変換ユニット３Ｂから構成され、無線型変換ユニット３Ｂには左右両センサ部２Ｌ、２Ｒと通信するための無線モジュール、ＣＰＵ、携帯型コンピュータ３Ａと通信するためのＵＳＢコントローラ等を搭載し、携帯型コンピュータ３Ａには、センサ部２からの情報に基づいてタイミングを計算し、リズム音を人間にフィードバックするために、ＣＰＵ，メモリ等を有する。４はリズム音を人間にフィードバックする刺激発生部としてのヘッドホンである。
【００３７】
歩行介助システム１をウエアラブル化するために、センサ部２について、従来のモデルでは、その重量やサイズ等に起因する装着性に問題があり、小型軽量化が必要であった。人間の歩行運動を計測できる各種センサのうち、小型化が容易であること、さらに、計測に伴って人間に不自然な負荷をかけないこと等を基準に加速度センサを採用した。３軸加速度センサを足首に装着して脚運動を計測する小型のシステムとした。センサ部２の重量は６０ｇ程度であり６時間以上の連続使用が可能である。
【００３８】
また、歩行介助システム１はセンサ部２と本体部３を備える。従来のモデルではケーブルでこれら２つのサブシステムを接続していたが、そのままでは使いにくさだけでなく、脚部に絡まるなど安全性の面でも問題点が指摘されていた。これを解決するために微弱無線システムを採用することで、コードレス化を実現した。現状では、無線で２０〜３０ｍにおよぶ信号の伝達が可能になり、同時に４０ｃｈにまで拡張でき、また医療機器との干渉はない。この結果、センサ部２を本体部３から完全に分離することが可能となった。また、歩行介助システム１の歩行者Ｐへの装着も非常に容易になり、さらに身体運動に対する制約もない。
【００３９】
図３に第１の実施の形態における歩行者介助システム１の構成例を示す。
センサ部２は歩行者の運動及び体調に関する諸情報を検出するためのセンサを有するもので、検出部２１および信号出力部２４を有する。
【００４０】
検出部２１では、運動リズムを検出するセンサを用いて、歩行運動に伴う脚運動や腰揺れ等の運動リズムの検出を行なう。例えば、歩行者の足首、腰等に加速度センサを装着し、加速度変化時を検出することで、歩行リズム（周期など）、足の接地タイミング等に関する情報を取得できる。また、例えば圧力センサを用いて接地タイミングを検出しても良く、歩数計等で歩行リズムを検出しても良い。
【００４１】
検出部２１に、歩行者の生理情報（体調）を検出するセンサ（図示しない）を追加して、運動リズムを検出に併せ、歩行者の心拍や呼吸や筋電位等の生理情報の検出を行なっても良い。これにより歩行者の体調を管理でき、無理のない歩行介助、歩行リハビリテーションを実施できる。
【００４２】
信号出力部２４では、検出部２１で検出した情報に、必要ならノイズ除去などの適切な前処理を施し、測定値として本体部３に送出する。この信号の送出には、各センサの装着位置などに応じて有線あるいは無線を用いる。特にセンサ部を脚や腰に装着する場合は、無線接続することによって、センサの装着性および安全性を改善できる。さらに無線接続の場合には、複数のセンサを同一歩行者の様々な身体部位に装着することが可能になり多種の情報の検出に便宜である。
【００４３】
本体部３は、センサ部２で検出された諸情報に基づいて演算処理を行い、タイミング信号を生成する。すなわち、センサ部２で検出された運動情報や生理情報に基づいて、目標とする運動リズムを実現するためのタイミング制御を行ない、刺激発生部４にリズム音又は音楽等のリズム刺激を発生させ、歩行者の歩行をコントロールする。本体部３は、入力部３１、インタフェース部３２、記録部３３、目標設定部３４、演算部３５、タイミング生成部３６、出力部３７および制御部３８を有する。
【００４４】
入力部３１では、センサ部２で検出された運動情報や生理情報を測定値として受け取る。受け取った情報は記録部３３に蓄積され、演算部３５、タイミング生成部３６での演算に使用される。この情報の受信には、各センサの装着位置などに応じて、有線あるいは無線が用いられる。
【００４５】
インタフェース部３２は、ヒューマンインタフェースおよびネットワークインタフェースとして機能する。ヒューマンインタフェースとしては、本体部ケースに設けられたボタンやつまみの操作などにより、歩行リズム（周期など）、接地タイミング等の運動リズムの目標値の設定や調整を行なう。また、歩行前に備え付けのパーソナルコンピュータ（図示しない）に接続して、パーソナルコンピュータから目標値の設定を行ない、歩行中はパーソナルコンピュータから切り離して使用しても良い。設定された目標値は目標設定部３４に記録される。備え付けのパーソナルコンピュータを利用すると、歩行者の過去のデータに基いてパーソナルコンピュータで演算した目標値を使用でき、また、高齢者、歩行障害者、健常者その他多くの歩行者のデータを参照して、目標値を設定することも可能であり、歩行データの解析に利用することもできる。
【００４６】
また、無線を介して、備え付けのパーソナルコンピュータに接続した場合は歩行中でも使用でき、パーソナルコンピュータで大量の演算処理を行い、本体部３にデータを送信することも可能である。さらに、無線を用いる場合には、ネットワーク９を介して外部のパーソナルコンピュータと連絡することも可能である。
【００４７】
記録部３３では、センサ部２から送られてきた歩行リズム等の運動情報データ、生理情報データを記録し、また、これらのデータに基づいて演算部３５で演算された歩行リズム（周期など）、接地タイミング、歩行距離、歩行スピードなどの運動情報、生理（体調）情報を測定値として格納する。さらに、目標値に関する情報を目標設定部と重複して格納しても良い。例えば目標値が多数の場合や時間の関数の場合には、全データを記録部３３に格納し、現時点の歩行に必要な部分を抽出して目標設定部に格納した方が便宜である。これらの情報は歩行中は演算部３５で各種演算に使用され、またタイミング生成部３６においてリズム刺激のタイミング生成のために使用される。歩行終了後にはメモリカード等を用いて歩行前や歩行中に蓄積されたデータを外部に取り出し、備え付けのパーソナルコンピュータ等で解析し、表示しても良い。記録部３３として揮発性メモリ（ＲＡＭ）などを使用できる。
【００４８】
目標設定部３４では、歩行者、介助者などがインタフェース部３２を介して入力した運動リズムなどの目標値を記録する。目標値としては歩行リズム（周期など）、接地タイミング、歩行距離、歩行スピードなどの運動情報、生理（体調）情報を設定できるが、目標値は単数でも複数でも良い。また歩行中に歩行者により本体部に設けたボタンやつまみの操作などにより目標値を更新できる。また、設定された目標値に基づいてタイミング生成部３６でリズム音などのリズム刺激を生成するためのタイミングが計算される。
【００４９】
演算部３５では、センサ部２で検出された運動情報データや生理情報データの測定値に基いて歩行リズム（周期など）、接地タイミング、歩行距離、歩行スピードなどを計算する。また、演算部３５で算定された運動情報データや生理情報データと目標設定部３４で設定された目標値に基づいてタイミング生成部３６でリズム音などのリズム刺激を生成するためのタイミングが計算される。
【００５０】
タイミング生成部３６では、センサ部２で検出された運動情報データや生理情報データの測定値と設定された目標値とに基づいて、リズム音などのリズム刺激のためのタイミングを計算し、タイミング信号を生成する。例えば、歩行者の歩行リズムと目標歩行リズムの差、歩行者の歩行スピードと目標歩行スピードの差、歩行距離と目標歩行距離の差、接地タイミングの測定値と目標接地タイミングの差、それらの任意の組み合わせに基づいてリズム音などのリズム刺激のためのタイミングを計算し、算定されたタイミングを用いてタイミング信号を生成する。タイミング信号は、例えば、水晶振動子からのクロックを分周して作成される。生成されたタイミング信号は、出力部３７を介して刺激発生部４に送信され、リズム音などのリズム刺激が生成される。
【００５１】
タイミング信号はリズムのテンポに関する情報とそれからのズレとしての位相差に関する情報から構成される。例えば、歩行リズムが遅すぎる場合には、リズム刺激のテンポを上昇させる、あるいは、リズム刺激の位相を進ませるようにタイミング信号を発生させ、歩行リズムが速すぎる場合には、リズム刺激のテンポを下降させる、あるいは、リズム刺激の位相を遅らせるように調整する。また、テンポに関する操作と位相に関する操作を独立に、あるいは、任意に組み合わせて行なうことも可能である。
【００５２】
制御部３８では、センサ部２、本体部３、刺激発生部４それぞれの内部及びセンサ部２、本体部３、刺激発生部４間の信号及びデータの流れを制御して、センサ部２で検出された運動情報データや生理情報データの測定値及び目標設定部３４に設定された目標値に基いて刺激発生部４にリズム刺激を発生させるタイミングをコントロールし、生成されたタイミング信号を刺激発生部４に出力する。
【００５３】
出力部３７は、タイミング生成部３６において生成されたタイミング信号を刺激発生部４に出力する。出力情報の送信には、刺激発生部４の装着位置などに応じて、有線あるいは無線が用いられる。
【００５４】
刺激発生部４は、本体部３から受信したタイミング信号に従ってリズム音などのリズム刺激を発生し、イヤホン、ヘッドホンやスピーカなどを用いて歩行者に提示する。歩行者には、リズム音以外にも、音楽によるリズム刺激を用いても提示しても良く、機能的電気刺激等を用いた触覚を介した腕や脚へのリズム刺激を用いても提示しても良く、ＬＥＤ（発光ダイオード）等を用いた視覚へのリズム刺激の提示も可能である。また例えば、歩行者に、歩行リズム、歩行距離、歩行スピードなどのデータを、手首にバンドで小型ディスプレイを取り付けて表示したり、ヘッドホンなどから音声出力したりすることも可能である。このようにすると、歩行者は歩行中のデータをリアルタイムに見ることができ、リハビリテーション中の歩行に直ぐにフィードバックできる。
【００５５】
図４に人間−機械系をコントロールするための非線形システム１０を模式的に示す。
非線形システム１０は制御器１１と制御対象１２から構成される。非線形性とは、制御器１１と制御対象１２の動的振舞（ダイナミクス）が分離できないことを意味している。従来のフィードバック制御は線形システムにその適用領域が限定されており、このことは制御器１１と制御対象１２のダイナミクスを分離できることに対応する。分離できるからこそ制御器１１が制御対象１２を制御することが可能になるのである。非線形システムの場合は両者のダイナミクスが分離できないから、制御することは制御されることになってしまい、いわゆるフィードバック制御は成立しない。非線形システム１０は、そのような意味で制御が困難なシステムである。しかし、非線形振動とその引き込み現象によって生じる同調関係に注目すれば制御が部分的に可能になる。
【００５６】
制御器としての歩行介助システム１１は、非線形システムとしての動的振舞を有する非線形システムモジュール（ＮＬＳモジュール）１３と非線形システムモジュール１３にフィードバックを行うフィードバックシステムモジュール１４から構成される。非線形システムモジュール１３は、同じく非線形振動系としての性質を有する制御対象としての歩行者１２との間で、相互作用における引き込み現象を介して同調状態を成立させる。フィードバックシステムモジュール１４は、非線形システムモジュール１３と歩行者１２との同調状態において、同調に係わる関係量１５を計算し、同調に係わる関係量１５と目標とする関係量とを比較することにより、適切なフィードバック制御量を計算し、同調に係わる関係量１５を変化させる非線形システムモジュール１３のパラメータを調整するようフィードバックをかける。これによって、同調に係わる関係量１５を目標とする関係量に相互適応的に収束させることにより、制御対象１２を制御するものである。すなわち、「関係的システム制御方法」を、非線形システムの制御方法として応用するものである。
【００５７】
本実施の形態においては、制御器１１および制御対象１２は非線形振動のダイナミクスを有するものとし、相互作用を介して引き込み現象を生じ同調するものとする。この引き込みは、非線形振動の相互作用に特徴的な同調現象であり、異なる振動数の非線形振動の間でダイナミクスが相互適応する過程で、自発的に同一の振動数かつ一定の位相関係で同調振動に至るのである。ここでは、非線形振動から同調状態に近づいていくので、同調状態には、同一の振動数かつ一定の位相関係に近い状態、例えば平均的に同一の振動数かつ平均的に一定の位相関係の状態を含むものとする。
【００５８】
このように、本実施の形態によれば、非線形システムとしての特性とフィードバック制御の特性を統合することで、制御器と制御対象のダイナミクスを明確に分離できない場合においても、それらの関係量を目標とする関係量へ収束させられる「関係的システム制御方法」を提供できる。すなわち、非線形システムについても、関係的システム制御方法を用いることによって、制御が可能になるのである。
【００５９】
なお、本実施の形態（図３に示す歩行介助システム１）では、歩行者１２から非線形システムモジュール１３へはセンサ部２を介して運動リズム１６が伝達され、非線形システムモジュール１３から歩行者１２へは刺激発生部４を介してリズム刺激１７が伝達される。本体部３における入力部３１、演算部３５、タイミング生成部３６、出力部３７および制御部３８等が非線形システムモジュール１３の機能を有し、目標設定部３４に設定された運動リズムの目標値が、センサ部２で測定された運動リズムと対比されて、リズム刺激の基になるタイミング信号が生成されるので、目標設定部３４がフィードバックシステムモジュール１４の機能を有する。例えば、運動リズムの位相差を関係量、運動リズムの目標値をパラメータとして、運動のピッチやタイミングを調整することが可能である。
【００６０】
本実施の形態における歩行介助システムは、計算機内の仮想空間の仮想ロボットと実空間の人間が足音を介して同調歩行し、その結果として歩行運動を安定化する共創型歩行介助システムである。そこでは人間の足音が仮想ロボットに伝えられ、仮想ロボットの足音が人間に戻されるだけであるにも関わらず、人間の歩行リズムが仮想ロボットの歩行リズムと同調する。誰かと並んで歩くときに自然と歩調が揃うことは日常的に体験されるが、同様に人間の歩行リズムと仮想ロボットの歩行リズムとが同調する現象を介して、歩行者の歩行の改善を図るものである。
【００６１】
図５に本実施の形態における加速度センサで歩行状態をモニターした例を示す。縦軸に加速度を、横軸に時間を示す。図５は脚運動の加速度の時間変化を示しており、特に急激な変動の見られる点が接地タイミングに対応しており、この加速度センサを用いて、脚の接地タイミングの検出によって歩行状態をモニターできている。
【００６２】
次に転倒防止への適用について検討した。
歩行運動の安定性を改善する必要から、歩行時の転倒防止を検討した。歩行運動はリズミックな運動であり、患者と介助装置の間でリズムを介する相互作用を実現することで安定化を達成した。具体的には４通りの介助方法（アルゴリズム）を比較した。
【００６３】
表１に比較の結果を示す。
（Ａ）は患者の脚運動のリズムをそのまま患者に聴覚刺激として聞かせる単純フィードバックの場合、（Ｂ）はメトロノームのように一定テンポのリズム音に合わせて歩く場合、（Ｃ）は介助システム内部のリズムと患者の歩行リズムが引き込みによって同調しながら歩く場合、（Ｄ）は（Ｃ）の場合に加えて、同調時のタイミングのズレを制御することで、歩行運動の促進や抑制の制御を行う場合である。Ｓ1及びＳ2のデータは患者の歩行の周期揺らぎの変動幅の平均値で、Ｓ1は歩行介助システム使用前のデータ、Ｓ2は歩行介助システム使用時のデータである。ｐはＳ1とＳ2のデータの差に基いて揺らぎの小さくなる程度を表す指標で、小さい程効果が大きいことを示すものである。これらの比較の結果から、（Ａ）、（Ｂ）はあまり効果がみられないが、（Ｃ）はｐが０．０５以下で効果が見られ、特に（Ｄ）はｐが０．０１以下で大きな効果を示し、アルゴリズムの有効性が示された。
【００６４】
図６に歩行介助システムによる歩行時の転倒防止効果の例を示す。縦軸に歩行周期（秒）を、横軸に時間（秒）を示す。歩行介助システム使用前は歩行周期の揺らぎが大きくなっているが、使用開始（図に矢印で示す）後には歩行周期がほぼ一定になり、歩行が安定化し、使用終了（図に矢印で示す）後にも安定な状態が持続されている。このように、不安定な歩行運動を安定化することができ、高齢者の転倒防止に応用できる。
【００６５】
次に片麻痺への適用について検討した。
片麻痺とは、脳血管障害や筋骨格系の障害等によって左右いずれかの半身に運動障害が現れる場合である。このときには、歩行介助システムにおいて、相互適応過程を、左右脚に対してそれぞれ個別に適用することで、左右脚間のバランスが改善され、片麻痺のような左右非対称な歩行障害の改善も可能になることが期待される。
【００６６】
歩行介助の立場からすれば、左右脚の運動の非対称性に起因して歩行運動の不安定性が生じるので、それを補填することの重要性が指摘されている。そこで転倒防止評価のときと同様に（Ａ）〜（Ｄ）のアルゴリズムを用いて比較を行なった。
【００６７】
表２に比較の結果を示す。Ｓ1及びＳ2のデータは患者の歩行の左右の脚の接地タイミングの非対称性（右足の接地から左足の接地までの時間及び左足の接地から右足の接地までの時間の差）に関するデータで、絶対値が大きい程非対称であり、小さい程対称的であることを表している。＋−の一方が右足接地から左足接地までの時間が長く、他方がその反対である。ｐはＳ1とＳ2のデータの差に基いて非対称性の小さくなる程度を表す指標で、小さい程効果が大きいことを示すものである。Ｓ1は歩行介助システム使用前のデータ、Ｓ2は歩行介助システム使用時データである。これらの比較の結果から、（Ａ）、（Ｂ）、（Ｃ）はあまり効果がみられないが、（Ｄ）はｐが０．０１以下で大きな効果を示し、表１の場合と同様に、（Ｄ）のアルゴリズムの有効性が示された。特に患脚（障害側の脚）の運動促進と健脚（障害の無い脚）の運動抑制による両脚バランスを改善するアルゴリズムの有効性が示された。
【００６８】
さらに、（Ｄ）のアルゴリズムに対して運動力学的解析を行い、その実効性を力学的なレベルからも検討した。
【００６９】
図７に片麻痺への適用に関する運動力学的解析結果の例を示す。図７（ａ）に歩行中の身体の重心の左右方向の揺れを示す。縦軸に規格化された時間を、横軸に揺れを示す。Ｎは健常者の重心の軌跡、Ｓ1は歩行介助システム使用前の患者の重心の軌跡、Ｓ2は歩行介助システム使用時の患者の重心の軌跡である。歩行介助システムの使用によって左右方向の重心の揺れが減少し、安定化に有効であることがわかる。
図７（ｂ）に支持脚期における床反力から計算した力積を示す。縦軸は力積を示し、上側が加速側（接地から脚が離れる時）、下側が減速側（接地する時）に該当する。また、Ｎは健常者についての力積、Ｓ1は歩行介助システム使用前の患者についての力積、Ｓ2は歩行介助システム使用時の患者についての力積である。Ｓ1に比してＳ2で、患脚側の力積の増加と健脚側の力積の減少が見られ、支持脚期の力学的な左右バランスの改善が確認された。
【００７０】
次に、パーキンソン病への適用について検討した。
パーキンソン症とは、大脳基底核系の障害であり、歩行運動のリズム生成に問題を生じている。特に、歩き始めの「すくみ足」や、一旦歩き始めると止まれなくなる「加速歩行」などが歩行介助の観点からは重要である。
【００７１】
これはパーキンソン症など神経系による運動制御過程の障害であり、歩行介助システムにおいて、人間の歩行リズムと介助システムの歩行リズムの間での相互適応過程によって、両者の歩行リズムの位相関係が制御できる必要がある。脚接地よりも先行する位相で音刺激が加えられることで歩行運動が促進され、その逆の位相で音刺激が加えられることで歩行運動が抑制されると考えられる。これによって、すくみ足状態への運動促進や加速歩行状態への運動抑制が可能になる。ここでは、加速歩行のへの歩行介助について評価を行った。
【００７２】
図８に歩行介助システムによる加速歩行の緩和効果の例を示す。縦軸に歩行周期を、横軸に時間を示す。用いたアルゴリズムは同調時のタイミングのズレを制御する（Ｄ）のアルゴリズムであり、介助装置側のリズムが患者側よりも少し遅れて同調するように制御した。歩行介助システムの使用前には、歩行周期の揺らぎが大きいと共に、歩行周期が徐々に減少する加速歩行が見られ、介助システムとの協調歩行を開始した時刻（図中使用開始矢印で示す）から１分程度でほぼ一定の周期に安定化すると共に、揺らぎも小さくなることが見られる。なお、別の測定では、歩行介助システムの使用を止めても安定した状態がしばらく持続するが確認されている。このことは、本歩行介助システムの使用がパーキンソン病の加速歩行の防止に有効であることを示している。
【００７３】
次に第２の実施の形態について説明する。第２の実施の形態は歩行介助の評価を行なう例である。本実施の形態における歩行介助システムの構成は第１の実施の形態と殆ど同様である。ただし、加速度センサを腰に装着している点、評価用のアルゴリズムが制御部に追加されている点が異なる。加速度センサを腹部に装着している場合もあるが、特に断らない限りは腰に装着している場合である。
【００７４】
本実施の形態では、第１の実施の形態における歩行介助システムを用いて、センサ部２に加速度センサを用いて歩行者Ｐの動きを検出し、検出された動きから歩行者Ｐの歩行軌跡を求め、歩行軌跡に関する評価指標の時間的変化から歩行介助の効果を評価するものである。
【００７５】
本実施の形態における歩行介助システムをＷａｌｋ−Ｍａｔｅと称することとする。これは人間の歩行リズムと仮想ロボットの歩行リズムが相互に引き込まれる相互適応プロセスを利用し、歩調を促進、または抑制することのできる協調歩行システムである。
【００７６】
これまで、Ｗａｌｋ−Ｍａｔｅを歩行障害者に適用し、歩行運動の時間的側面、力学的側面から解析を行うことで有効性評価を進めてきた。しかしながら歩行介助機器として臨床への適用を目指すためには臨床で行われている分析、評価との対応が不可欠である。
【００７７】
臨床における歩行分析は主として目視によってよって行われており、医師と療法士は患者の歩行を観察し、障害の把握と治療効果の判定をしている。しかし目視による分析には経験等による個人差があり、客観性に欠けるということがある。その反面、光学式位置計測装置や床反力装置という極めて大掛かりな運動力学的解析装置が研究目的に用いられていた。この問題を解決するためには、患者の歩行を定量的に計測し、評価する必要がある。定量的評価法として運動学的分析があり、光学計測を用いた手法が取られている。しかし機器の高価さ、装置の大掛りさといった性質上、場所と計測時間が限定されてしまう。また、患者にかかる心身的負担も大きく、長時間の歩行を行った場合の変化、長期間における歩行の回復量推移を評価することは難しかった。つまり介助現場の主観的評価と研究目的の評価の中間的領域における評価手法が欠落していたのである。したがって本手法において計測される生体情報の時系列データに基づいて、新たな評価手法を開発することが求められる。
【００７８】
本実施の形態では加速度センサを用い、得られた加速度波形から装着部の歩行軌跡を求め、その軌跡から運動学的解析を行う手法を使用する。加速度センサは小型軽量であるため、歩行訓練時において装着した場合でも患者への負担は小さく、場所を限定する必要が無いため、長期の時間発展も容易に計測することができる。加速度センサから位置、移動量を求める方法は、接地や重力加速度などによる誤差の蓄積が問題となっており、誤差を排除するための先行研究は広く行われている。また近年加速度センサにおいて精度、分解能といった性能が向上しているので、より正確な加速度情報を得ることが可能となっている。
【００７９】
このような背景をふまえ、ここでは加速度情報から歩行軌跡を算出することで、臨床の歩行分析と照らし合わせた運動学的側面による指標を作成し、障害の把握、歩行訓練による回復量推移を評価する。そして歩行介助システムＷａｌｋ−Ｍａｔｅの使用による歩容の変化から、これまで行われてきた時間的側面、力学的側面の解析に運動学的側面から評価を加えることで、有効性評価を進めることとした。
【００８０】
次に歩行軌跡算出手法について説明する。
図９に、本実施の形態における加速度センサの装着状態例を示す。ここで提案する計測手法には三次元加速度センサ２を用い、歩行者Ｐの腰に装着することで加速度情報を計測し、軌跡を求める。腰に装着することで加速度センサ２に生じるノイズを減少できる。
【００８１】
また、腰に取り付けたセンサの空間座標系として左右方向をＸ（左側を正）、鉛直方向をＹ、進行方向をＺとして３次元方向の加速度をそれぞれ積分し速度、位置情報を求める。しかし、加速度Ａから速度Ｖを求めるにあたり、（式１）のような単純な積分では接地によるオフセット誤差が蓄積してしまう。そこで提案手法として、鉛直、左右方向の歩行運動に関し、両脚の交換による周期的な揺動運動であると仮定し、歩行周期から軌跡の中心となるベースラインを算出、計測値との変位分を積分することで軌跡を求める。
【００８２】
鉛直方向：  加速度情報を積分するにあたり、誤差を生じさせる要因として重力加速度の影響、脚接地時の衝撃が挙げられ、これは特に鉛直方向の誤差に影響する。しかしここでの歩行運動は水平面上に限定するため、鉛直方向に着目した場合、歩行運動は脚接地における腰の高さが常に等しくなるはずである。そこで（式２）に示すように、ある時点の歩行において前後１秒間という短期的な時間スケールから速度Ｖｙの平均値を求め、歩行運動のゼロ点となるベースラインとして、その平均値からの変位分を速度Ｖ’ｙとして積分することで誤差を排除した位置Ｙを得る。位置の積分においても同様の計算を行いＹ’を求める。
【００８３】
【数１】
2010264320.tif 000003
【数２】
2010264320.tif 000004
【００８４】
左右方向：  脚接地時における腰の高さが常に等しい鉛直方向に対し、左右方向に関しては設定したコースに対する歩行軌道の逸脱性が存在する。そのため、左右方向の歩行分析には短期的な一歩ごとの歩行軌跡の変化と、長期的に見たときのコースからの左右方向への逸脱性を別々に分けて評価する必要がある。移動量Ｘの算出は（式３）のように速度を積分し、速度の算出は（式２）と同様の計算を行う。一歩ごとで中心に揃えた歩行軌跡は、短期的時間スケール（前後１秒間）の平均Ｘ１ｓｅｃを用いる（式４）から、コースに対する逸脱性は長期的な時間スケール（前後５秒間）の平均Ｘ５ｓｅｃを用いる（式５）から算出する。
【００８５】
【数３】
2010264320.tif 000005
【数４】
2010264320.tif 000006
【数５】
2010264320.tif 000007
【００８６】
図１０に左右方向の移動量計算結果を示す。縦軸に横方向移動量、横軸に時間を示す。移動の軌跡と、短期的時間スケール（前後１秒間）の平均Ｘ１ｓｅｃ、長期的な時間スケール（前後５秒間）の平均Ｘ５ｓｅｃが示されている。
進行方向：  進行方向に関して、まずは鉛直、左右方向同様に、速度Ｖｚの平均を用いてオフセットを除去した速度Ｖ’ｚを求める。しかし鉛直、左右方向とは異なる点として、進行方向は移動距離Ｚを求めるため、周期的な運動と仮定し等速成分を除去してしまう（式２）の手法では、Ｖ’ｚは歩行中の速度振幅成分のみとなる。そのため次のような歩行速度推定手法を用いる。
【００８７】
速度振幅と歩行速度は回帰直線で近似することが可能であるため、（式６）に示すようにＶ’ｚの振幅（Ｖ’ｚｍａｘ）から定数α倍したものを短時間スケールにおける平均歩行速度として速度振幅成分Ｖ’ｚに加えることで歩行速度Ｖ”ｚを求める。そしてＶ”ｚを再び積分することで移動距離Ｚを得る。振幅と速度の関係は個人によって異なり、αの値は実際の歩行距離と時間から個人ごとに計算し設定する必要がある。
【００８８】
【数６】
2010264320.tif 000008
【００８９】
このように三次元方向それぞれの動作に対応した計算法を使用することで三次元における歩行軌跡を得ることができる。
【００９０】
次に、歩行軌跡評価方法について説明する。
上記の手法から得られる歩行軌跡から、被験者ごとの障害の把握、歩行介助機器の評価を行うための指標を作成する。そのため対象となる片麻痺患者への適用を想定し、片麻痺患者の歩行運動における特徴点を挙げる。
【００９１】
図１１に健常者と片麻痺患者の歩行軌跡の例を比較して示す。図１１はその典型例である。左（図１１（ａ１）〜（ｃ１））を健常者、右（図１１（ａ２）〜（ｃ２））を片麻痺患者とし、上から、進行−鉛直方向（（ａ１）、（ａ２））、進行−左右方向（（ｂ１）、（ｂ２））、左右−鉛直方向（（ｃ１）、（ｃ２））の組み合わせとなり、ＬＨＣ（Ｌｅｆｔ  ｈｅｅｌ  ｃｏｎｔａｃｔ）は左踵の接地タイミング、ＲＨＣ（Ｒｉｇｈｔ  ｈｅｅｌ  ｃｏｎｔａｃｔ）は右踵の接地タイミングを示す。これらの歩行軌跡を定量的に評価するための指標として、各特長点を数値化する。
【００９２】
ＸＲ、ＸＬ：左右移動量
Ｘ’Ｒ、Ｘ’Ｌ：移動量と折り返し量の比（ＸＲＴ／ＸＲ、ＸＬＴ／ＸＬ）
Ｘａ：左右移動量の非対称性（ＸＬ／ＸＲ−１）
ＹＲ、ＹＬ：上下移動量
Ｙ’Ｒ、Ｙ’Ｌ：上下振幅と体幹持ち上量の比（ＹＲ／ＹＲＴ、ＹＬ／ＹＬＴ）
Ｙａ：上下移動量の非対称性（ＹＬ／ＹＲ−１）
Ｚ、Ｚａ：歩幅（ＺＬ＋ＺＲ）とその非対称性（ＺＬ／ＺＲ−１）
Ｔ、Ｔａ：歩行周期（ＴＬ＋ＴＲ）とその非対称性（ＴＬ／ＴＲ−１）
【００９３】
これら指標により、歩行における障害の把握と機器の有効性評価を行う。
次に有効性評価の測定方法を説明する。
被験者として２０代の健常男性５名について、直線５０ｍを以下の条件で測定した。
・被験者自身が遅い、普通、早いと感じる速度で歩行
・擬似片麻痺患者を想定し、右膝、足首を固定し歩行
・擬似片麻痺の状態で、Ｗａｌｋ−Ｍａｔｅを使用して歩行
【００９４】
臨床での計測として、片麻痺患者３名に協力をしていただき、自由歩行、そしてＷａｌｋ−Ｍａｔｅを使用した歩行の２種類の条件で計測を行った。片麻痺患者３名（Ａ、Ｂ、Ｃ）の年齢、麻痺度、歩行能力は表３に示す。
【００９５】
また、実験システムとして使用する歩行介助システムＷａｌｋ−Ｍａｔｅは人の足首に装着した加速度センサ（本実施の形態では腰に装着）から脚接地を検出し、これを人間の歩行リズムとして計算機内の仮想ロボットにおける歩行リズムと相互に引き込み、協調歩行を行うシステムである。
【００９６】
次に測定結果について説明する。まず、歩行軌跡の算出を行なう。
図１２に歩行計測より得られた被験者の加速度情報を積分し、実際に得られた軌跡の一例を示す。左（図１１（ａ１）〜（ｃ１））を健常者、右（図１１（ａ２）〜（ｃ２））を片麻痺患者とし、上から、進行−鉛直方向（（ａ１）、（ａ２））、進行−左右方向（（ｂ１）、（ｂ２））、左右−鉛直方向（（ｃ１）、（ｃ２））の組み合わせとなる。これまでの歩行分析とここで得られた歩行軌跡から、左脚接地（ＬＨＣ）から右脚接地（ＲＨＣ）まで健常者は以下の組み合わせで歩行を行っていることがいえる。
【００９７】
鉛直：  下降（重心の移動）  
上昇（遊脚の脚上げ、支持脚の体幹持ち上げ）
下降（接地のために遊脚が下降）
左右：  支持側へ移動（重心の移動）
遊脚側へ折り返し（次の支持脚への移動）
また、健常者の歩行と片麻痺患者とを比較した場合、患側遊脚（ＬＨＣからＲＨＣ）、健側遊脚（ＲＨＣからＬＨＣ）において左右軌跡、上下軌跡、歩幅がそれぞれ異なる。これを片麻痺患者の特徴として以下のものが挙げられる。
・左右振幅が大きく、上下振幅が小さい。
・健側遊脚において端からの折り返しが行われない。
・健側遊脚の鉛直方向において体幹が上昇しない。
このように得られた歩行軌跡から、健常者と片麻痺患者の体幹の挙動は軌跡の目視の段階で大きく異なる特徴点を持っていることが確認できる。
【００９８】
次に歩行軌跡の評価を行なう。次に歩行軌跡から得られた各歩行パラメータを表４に健常者、擬似麻痺被験者、片麻痺被験者３名（Ａ，Ｂ．Ｃ）の順に示す。
表４の左右方向Ｘにおいて、健常者の右側振幅ＸＲ３．３９±０．７０に比べ、擬似被験者の患側振幅ＸＲは２０．８５±６．２３、患者ＡのＸＲは６．７７と大きい値を持つ。
【００９９】
このとき、擬似片麻痺被験者と患者Ａの間では、左右、鉛直両方向に擬似被験者が大きな値を持つ。これは片麻痺患者が筋群の低緊張による不安定性、痙性の筋緊張による反射活動などによって運動の広がり、パターンが制限されていることに対し、擬似片麻痺は関節固定による擬似障害であるため、同じ患側において筋肉、股関節といった他の部位によって補う挙動が行われる。このため、両者の振幅において大きな差異が生じることになる。
【０１００】
一方、これまでに、速度の増加と共に左右振幅は歩行減少、上下振幅は増加することが報告されている。そのため、振幅のみによる評価は困難となっている。この確認実験として健常被験者が遅い、普通、速いと感じる３種類の速度で歩いた結果を表５に示す。
【０１０１】
図１３に、上記確認実験による軌跡の例を示す。上から、遅い（図１３（ａ））、普通（図１３（ｂ））、速い（図１３（ｃ））と感じる３種類の速度で歩いた結果の軌跡を示す。なお、加速度センサは腹部に装着し、確認結果は腹部の軌跡を示す。その結果、速度の増加に伴い、平均左右振幅ＸＬは６．５７、３．３９、２．００と減少し、鉛直方向において平均上下振幅ＹＬは１．２５、２．３５、２．９０と増加する傾向を見せた。これはＸＲ、ＹＲでも同様の傾向を示された。しかし各非対称性（Ｘａ、Ｙａ、Ｚａ）、体幹持ち上げ量の比（Ｙ’）には変化が見られなかった。
【０１０２】
以上の結果から、直接的に振幅、移動量から評価を行うのではなく、非対称性（Ｘａ、Ｙａ、Ｚａ）、移動量に対する折り返し比（Ｘ’Ｌ、Ｘ’Ｒ、Ｙ’Ｌ、Ｙ’Ｒ）を評価指標として用いる。非対称性以外の指標としてＸ’Ｌ、Ｘ’Ｒはその値が小さい場合、支持脚側への転倒リスクがあり、それを防ぐため遊脚が先回りしていることを示す。しかしながら、歩行運動は重心をスムーズに動かすことで位置エネルギーと運動エネルギーを無駄なく変換しているため、重心が支持側に乗ったままでは次の動作へのエネルギー変換がスムーズに行われない。また、  Ｙ’Ｌ、Ｙ’Ｒはその値が小さいほど支持脚における踵上昇、脚の伸展が行われていないことを示し、上下の運動エネルギーと位置エネルギーの変換がスムーズに行われず、非効率な歩行となっていることを示す。
【０１０３】
図１４に、このような各歩行パラメータを指標として健常者Ｎ、擬似被験者Ｑ、患者Ａに照らし合わせた場合の推移の例を示す。上から指標Ｘａ（図１４（ａ））、Ｙ’Ｌ（図１４（ｂ））、Ｚａ（図１４（ｃ））、Ｔａ（図１４（ｄ））に関するデータである。図は歩行中の３０ステップ分を抽出したものである。
【０１０４】
表４より、まず左右非対称性であるＸａは健常者Ｎ平均０．０４±０．１０に対し擬似被験者Ｑは−０．５６±０．１０、患者Ａは−０．５５と、患側遊脚時に大きい値を持つ。これは体幹を健側に傾けることで患側を持ち上げ、ぶん回し歩行を行うためであり、鉛直方向においても、Ｙ’Ｒ（図示せず）は患脚の持ち上げでは無く体幹の傾きにより上下動を行うため、健常者平均０．９０±０．０７に比べ擬似被験者は０．８２±０．２０、患者Ａは０．６３と異なる値をとる。一方Ｙ’Ｌは健常者Ｎが０．９４±０．０４に対し擬似被験者Ｑ、患者Ａともにほぼ０である。これは支持脚において、前進に従い踵を持ち上げ駆動力を生むという一連の運動生成が患側では行えないためである。これはどちらも片麻痺歩行におけるぶん回し歩行の特徴となっている。
【０１０５】
患者Ｂにおいて左右非対称性Ｘａは−０．１４と、患者ＡのＸａである−０．５５よりも小さい値を持ち、健常者のＸａに近い。これは杖によって患側の支持能力の低下が補われ、健側遊脚であるＸＬが増加しているためである。しかしながらＸ’Ｒ、Ｘ’Ｌはほぼ０であることから、次の動作に繋げるための重心移動ができておらず、左右動に関して非効率な歩行だと言える。また、Ｙ’Ｌに関しても患者Ａの値０．０１に対し患者Ｂの値は０．６７と異なる値を持つ。これも杖によって患側支持期の体幹持ち上げ時に補助が行われるためである。
【０１０６】
そして患者Ｃにおいて左右非対称性Ｘａは０．０３、上下非対称性Ｙａは−０．０８であり、健常者に近い値となっている。このことから、歩行リハビリテーションによって片麻痺歩行が改善し、健常歩行が行えるようになったことがいえる。一方Ｙ’Ｌは０．４２、Ｙ’Ｒは０．４５と両脚とも体幹の持ち上げ比は健常者のＹ’に比べ小さい。これは健常被験者が２０代であるのに対し、患者Ｃの年齢が７０代であるということを考慮せねばならず、この結果は年齢差による運動能力の違いであると考えられる。
以上の健常者と片麻痺患者の比較において、作成した指標を用いることで絶対評価による歩行障害の把握、歩容の改善を評価できることが示された。
【０１０７】
次に、歩行介助システムＷａｌｋ−Ｍａｔｅの有効性評価について説明する。
Ｗａｌｋ−Ｍａｔｅ使用による歩行パラメータの変化を表６に被験者順で平均値、変化率（％）の順に示す。
【０１０８】
図１５にＷａｌｋ−Ｍａｔｅ使用による擬似被験者と患者Ａにおける歩行軌跡の変化の例を示す。図１５は左右−鉛直方向のデータであり、左（図１５（ａ）、（ｂ））を擬似被験者Ｑ、右（図１５（ｃ）、（ｄ））を患者Ａとし、上から、歩行介助システム使用前（（ａ）、（ｃ））、使用中（（ｂ）、（ｄ））、の組み合わせとなる。これまで報告されている時系列解析による評価は、歩行周期の非対称性Ｔａの緩和であり、擬似被験者Ｑは６５％、患者Ａは１３％、患者Ｂは１４％の改善が見られた。なお、患者ＣについてはＷａｌｋ−Ｍａｔｅ使用前の表４の結果より左右対称であることが示されているため、変化は見られなかった。
【０１０９】
次に本実施の形態で示した指標を用いて被験者ごとの評価を行う。擬似被験者Ｑと患者Ａにおいて、Ｘａで擬似被験者Ｑは５０％、患者Ａは１１％の緩和が見られる。また、健側遊脚における折り返し量Ｘ’Ｌでは擬似被験者Ｑは１５％、患者Ａは３２％増加していることから、患脚支持期において次の動作にスムーズに結びつけることが出来ているといえる。また、歩幅の非対称性Ｚａにおいても擬似被験者Ｑは７７％、患者Ａでは３４％の改善により、健側遊脚中の移動量ＺＬが増加していることが示される。これは患側における支持力の増加により、健側の運動量が増加したためである。しかしながら擬似被験者Ｑと患者Ａにおいて、健側遊脚中の体幹持ち上げＹ’Ｌにおいては大きく異なり、患者ＡはＹ’Ｌにおいて変化しない。これは麻痺部位の差であり、擬似披験者Ｑは固定されていない部位を用い、片麻痺患者よりも多くの運動パターンが可能なためである。患者Ｂに関しては歩幅の非対称性Ｚａが−０．４３から−０．３３へ、２２％緩和されている。しかしながら左右非対称性Ｘａにおいて使用前が−０．０１、使用中は−０．０６となり、変化は見られなかった。これは杖の使用によりＷａｌｋ−Ｍａｔｅ使用前から左右動の支援が行われているためであり、Ｘ’Ｒ、Ｘ’Ｌにおいても同様に、変化量は２〜３％であった。一方患者Ｃに関しては、歩行周期の非対称性同様、変化は見られない。
【０１１０】
このように、Ｗａｌｋ−Ｍａｔｅの使用によって改善される度合いは被験者の状態、歩行能力の差によって大きく異なる。しかしながら同一被験者において、機器の使用による各指標の変化を相対評価することにより、歩行介助機器としてのＷａｌｋ−Ｍａｔｅの有効性を評価できることが確認された。
【０１１１】
本実施の形態によれば、相互適応を用いる歩行介助システムを使用した場合の歩行運動の改善効果を評価できる。なお、相互適応を用いる歩行介助システムに限定されず、通常の歩行介助システムを使用した場合にも適応できる。第１に、個別の患者の歩行運動にかかわる評価指標の時系列データから個別の患者についての改善効果を評価できる。例えば、歩行運動の左右非対称性による片麻痺歩行の評価が可能である。また、歩行周期を評価指標に選べば、その時間変化による加速歩行やすくみ足の評価が可能である。第２に、歩行介助システム使用前と使用中の評価指標の変化から、システム使用による効果を評価できる。この場合に目標値を種々変化させて、どのように設定したら効果が大になるかも評価できる。以上により、歩行介助の改善効果に関する適切な評価が期待される。また、コンピュータで解析処理するのでリアルタイムの評価が可能である。
【０１１２】
また、本実施の形態によれば、歩行者の歩容を客観的に評価するための評価方法を提供できる。
【０１１３】
なお、本発明は上述の実施の形態に限らず本発明の要旨を逸脱することなくその他種々の構成を採り得ることはもちろんである。
【０１１４】
例えば、本実施の形態では、リズム刺激としてリズム音を用いる例を説明したが、光刺激又は機能的電気刺激光を用いても良い。また、運動リズムを検出するセンサは足首や腰以外に装着しても良く、また、加速度センサに限られず、圧力センサや歩数計等を用いても良い。また、生理情報を検出するセンサを使用し、目標値に心拍や呼吸や筋電位等の生理情報を追加しても良い。また、評価指標を目標値に用いて、相互適応を利用する歩行介助システムの応用を広げることも可能である。また、被介助歩行者は歩行障害者や高齢者に限られず、健常者の坂道での歩行スピードの調整や幼児の歩行練習にも適用できる。
【産業上の利用可能性】
【０１１５】
本発明は、高齢者や障害者の歩行運動支援やリハビリテーション支援のために利用される。
【０１１６】
【表１】
2010264320.tif 000009
【表２】
2010264320.tif 000010
【表３】
2010264320.tif 000011
【表４】
2010264320.tif 000012
【表５】
2010264320.tif 000013
【表６】
2010264320.tif 000014
【符号の説明】
【０１１７】
１    歩行者介助システム
２    センサ部
２Ｌ、２Ｒ  左右のセンサ
３    本体部
３Ａ  携帯型コンピュータ
３Ｂ  無線型変換ユニット
４    刺激発生部
５    アルゴリズム
９    ネットワーク
１０  非線形システム
１１  制御器
１２  制御対象
１３  非線形システムモジュール
１４  フィードバックシステムモジュール
１５  関係量
１６  運動リズム
１７  リズム刺激
２１  検出部
２４  信号出力部
３１  入力部
３２  インタフェース部
３３  記録部
３４  目標設定部
３５  演算部
３６  タイミング生成部
３７  出力部
３８  制御部
Ｐ    歩行者
【図１】
2010264320.tif 000015
【図２】
2010264320.tif 000016
【図３】
2010264320.tif 000017
【図４】
2010264320.tif 000018
【図５】
2010264320.tif 000019
【図６】
2010264320.tif 000020
【図７】
2010264320.tif 000021
【図８】
2010264320.tif 000022
【図９】
2010264320.tif 000023
【図１０】
2010264320.tif 000024
【図１１】
2010264320.tif 000025
【図１２】
2010264320.tif 000026
【図１３】
2010264320.tif 000027
【図１４】
2010264320.tif 000028
【図１５】
2010264320.tif 000029
【手続補正書】
【提出日】平成22年9月30日(2010.9.30)
【手続補正１】
【補正対象書類名】明細書
【補正対象項目名】全文
【補正方法】変更
【補正の内容】
【発明の詳細な説明】
【技術分野】
【０００１】
本発明は、歩容評価システム及び歩容評価方法に関する。詳しくは高齢者や障害者の歩行運動支援やリハビリテーション支援に係る歩容評価システム及び歩容評価方法に関する。
【背景技術】
【０００２】
高齢者や歩行障害者の歩行介助は、患者と理学療法士の協調歩行の形態をとりつつ行われることが多い。このような人間同士のコミュニケーションを活用する介助方法が有効である理由は、患者と療法士がコミュニケーションを介して相互に身体運動を適応させあう中で、状況に応じた歩行介助機能を時々刻々と創出できるからである（非特許文献１参照）。例えば、音楽運動療法では、療法士の演奏する音楽と患者の身体運動が、相互にリズムやタイミングを合わせることで運動機能の改善が目指されており、その有効性がいま注目されている（非特許文献２参照）。
【０００３】
一方、現状での一般的な介助支援システムとしては、バイオフィードバックを用いる療法があげられる。これは、患者自身が認知できない筋電位などの生体信号を、認知しうる感覚情報としてフィードバックし、患者自身が運動を意識的に制御し運動機能の獲得を支援するシステムである（非特許文献３参照）。他方、実際に、バイオフィードバック療法中に見られた効果が，訓練後において，効果の持続性が確認されないという事例も多数報告されている（非特許文献４参照）。
【０００４】
また、ロボット技術の発達とともに、力学的アクチュエーターを身体に装着して介助を行う介助システムも提案されてきている。例えば、筋電位に基づいてモーターを駆動する電動義手や電動義足に関わるシステムである。最近ではパワーアシスト装置として、脚に直接装着して歩行運動を支援するシステムも開発されている（非特許文献５参照）。これらは上記のバイオフィードバックの一種とも考えられるが、身体運動を直接力学的に操作するところが特徴である。
【０００５】
一方、身体運動に同期したリズム刺激によって、歩行などの運動テンポをコントロールする方法が発明者らにより既に提案されている（特許文献１参照）。運動する者の運動リズムをセンサによって検出し、ペースメーカーで検出した運動リズムとその目標値との差異に基づいてタイミングを生成し、ヘッドホン等でリズム刺激として運動する者の運動テンポにフィードバックさせる方法である。
【先行技術文献】
【特許文献】
【０００６】
【特許文献１】特開２００２−３３８３７６号公報（段落００１１〜００２２、図１〜図３等）
【非特許文献】
【０００７】
【非特許文献１】「寝たきりにさせない介護術」、長谷川、中島共著、Ｐ．２９９−３０９、医学芸術社、２００１年
【非特許文献２】「音楽療法研究」、櫻林仁著、音楽之友社、１９９６年
【非特許文献３】「バイオフィードバック療法」、長谷川公雄著、Ｊｏｕｒｎａｌ  ｏｆ  ｃｌｉｎｉｃａｌｒｅｈａｂｉｌｉｔａｔｉｏｎ  １２−１，  Ｐ．６８−８６、２００３年
【非特許文献４】「Ｂｉｏｆｅｅｄｂａｃｋ  ｔｈｅｒａｐｙ  ｉｎ  ｒｅｈａｂｉｌｉｔａｔｉｏｎ  ｍｅｄｉｃｉｎｅ、Ｙ．  Ｏｋｉｊｉｍａ著、Ｐｒｉｎｃｉｐｌｅ  ａｎｄ  Ｐｒａｃｔｉｃｅ  Ｊａｐａｎ  Ｒｅｈａｂｉｌｉｔａｔｉｏｎ  Ｍｅｄｉｃｉｎｅ，  ３４，  Ｐ．６１４−６２３、１９９７年
【非特許文献５】「Ｐｏｗｅｒ  ａｓｓｉｓｔ  ｃｏｎｔｒｏｌ  ｆｏｒ  ｌｅｇ  ｗｉｔｈ  ｈａｌ−３  ｂａｓｅｄ  ｏｎ  ｖｉｒｔｕａｌ  ｔｏｒｑｕｅ  ａｎｄ  ｉｍｐｅｎｄａｎｃｅ  ａｄｊｕｓｔｍｅｎｔ」、Ｓ．  Ｌｅｅ  ａｎｄ  Ｙ．  Ｓａｎｋａｉ著、Ｐｒｏｃ  ｏｆ  ２００２  ＩＥＥＥ  Ｉｎｔｅｒｎａｔｉｏｎａｌ  Ｃｏｎｆｅｒｅｎｃｅ  ｏｎ  Ｓｙｓｔｅｍｓ，  Ｍａｎ  ａｎｄ  Ｃｙｂｅｒｎｅｔｉｃｓ  （ＳＭＣ２００２），  Ｈａｍｍａｍｅｔ，Ｔｕｎｉｓｉａ、Ｐ．ＴＰＩＢ３    ２００２年
【発明の概要】
【発明が解決しようとする課題】
【０００８】
しかし、バイオフィードバックを用いるシステムの目的とするところは、目標となる理想的状態を達成するように、患者が介助システムに一方的に適応するものであり、上述したような相互に歩み寄る「相互適応」を介して運動機能の創出を支援するという目的からは大きく異なっている。また、効果の持続性が確認されないという事例もあり、このような背景から、特に、歩行介助のような領域においては、相互適応的な機能創出過程を支援できるシステム開発が必要であった。
【０００９】
また、これらのパワーアシスト装置は、人間のコミュニケ−ションというよりも、運動系に偏った支援システムである。しかも、モーター等の力学的なハードウェアを必要とするため、その重量やサイズが大きくなってしまうという問題があった。さらに、力学的な駆動部を身体に直接装着するために、誤動作の際には患者が危険にさらされてしまうという、本質的な限界も指摘されていた。
【００１０】
また、リズム刺激をペースメーカーとして用いる方法は、背景技術の抱える問題を克服する上で、有効であることが期待される。すなわち、人間同士のコミュニケーションを志向でき、相互適応的な機能創出過程を支援できるシステム開発の可能性が想定される。また、力学的なハードウェアを必要としないので、重量やサイズが大きくなってしまう、誤動作の際には患者が危険にさらされてしまうという問題も生じない。
しかしながら、リズムの相互引き込みを活用し相互適応的に人間−機械系をコントロールするという思想は、発明者らがその後に提案した未公開の非線形システムの制御手法（関係的システム制御手法）（特願平２００４−３４１７４号）によるものであり、この発明の手法を活用することによって、可能となるものであった。
【００１１】
また、介助効果の評価に関して、従来は、介助の現場における医師や理学療法士の主観的な症状記述に基づく評価がなされ、その一方で、光学式位置計測装置や床反力装置という極めて大掛かりな運動力学的解析装置が研究目的に用いられていた。つまり介助現場の主観的評価と研究目的の評価の中間的領域における評価手法が欠落していた。また、歩行を表現する歩容についても、これを客観的に評価する手法が求められていた。
【００１２】
したがって、本発明は、まず、発明者らによって提案されている、リズム刺激をペースメーカーとして用いる方法と、相互適応を人間−機械系において実現する関係的システム制御手法を組み合わせることによって、まず、リズムの相互引き込みを活用し相互適応的に人間−機械系をコントロールすることを目的とする。さらに、これらの技術を、リズム刺激によって歩行などの運動テンポをコントロールする段階から発展させて、高齢者や障害者を対象とした歩行介助やリハビリテーションにおける支援のための歩行介助システムを提供することを目指す。このためには、次のような問題が残されている。
【００１３】
まず、様々な歩行障害の介助やリハビリテーションに対応できる、歩行運動の計測とリズム刺激の方法が開発されなければならないという問題がある。例えば、脳血管障害に起因する片麻痺歩行やパーキンソン病に起因する加速歩行やすくみ足など、個別の障害を踏まえた運動計測と刺激提示の方法が必要である。
【００１４】
また、歩行介助やリハビリテ−ションによって、歩行運動がどのように改善されるかを評価できる方法が開発されなければならないという問題がある。つまり、リズム刺激をペースメーカーとして用いる方法と、相互適応を人間−機械系において実現する関係的システム制御手法を歩行介助に適用した場合を含め、歩行介助の改善効果をどのように評価するのかという問題が残されている。さらに、歩行者の歩容について客観的な評価方法がなく、どのように評価するのかという問題が残されている。
【００１５】
以上のことから、本発明は、相互に同調を取り合う相互適応を人間−機械系において実現し、さらに、歩行介助の現場に適用可能にすることを目的とする。
また、歩行介助システムを使用した場合の歩行運動の改善効果を客観的に評価できる評価方法を提供することを目的とする。
さらに、歩容を客観的に評価できる評価方法を提供することを目的とする。
【課題を解決するための手段】
【００１６】
上記課題を解決するために、本発明の第１の態様に係る歩容評価システムは、歩行者の運動リズムを含む動きを検出する加速度センサからなるセンサ部２と、センサ部２で検出された運動リズムを含む動きの測定値を記録する記録部３３とを備え、加速度センサで検出された歩行者の動きから歩行者の三次元の腰又は腹部の揺動運動の軌跡を求め、揺動運動の軌跡に関する評価指標から歩行者の歩容を評価する、歩容評価システムであって、水平面上の鉛直、左右方向における歩行運動について、軌跡を算出する上での速度の中心となる速度のベースラインを歩行周期に基づく速度の周期的変化から短時間スケールにおける速度の平均として算出し、歩行軌跡を、速度のベースラインからのセンサ部２で検出された加速度の計測値を積分して求められた速度との変位分を積分することにより求め、水平面上の進行方向における歩行運動について、センサ部２で検出された加速度の計測値を積分して求められた速度から、当該求められた速度の短時間スケールにおける平均を差し引いてオフセットを除去した速度を求め、オフセットを除去した速度の振幅に定数倍したものを短時間スケールにおける平均速度として求め、オフセットを除去した速度に短時間スケールにおける平均速度を加えて、歩行軌跡の進行方向の速度を求める。
【００１７】
また、本発明の第２の態様は、第１の態様に係る歩容評価システムにおいて、評価指標として、歩行者の左右移動量、上下移動量、左右移動量の非対称性、上下移動量の非対称性、歩幅、歩幅の非対称性、歩行周期、歩行周期の非対称性、移動量と折り返し量の比、上下振幅と体幹持ち上げ量の比、歩行周期の揺らぎ、重心の揺れ又は接地タイミングの非対称性を用いる。
【００１８】
また、本発明の第３の態様に係る歩容評価システムは、コンピュータにより実行される方法であって、加速度センサを用いて歩行者の動きを検出する工程と、検出された歩行者の動きから歩行者の三次元の腰又は腹部の揺動運動の軌跡を求める工程と、揺動運動の軌跡に関する評価指標から歩行者の歩容を評価する工程とを備える、歩容評価方法であって、水平面上の鉛直、左右方向における歩行運動について、軌跡を算出する上での速度の中心となる速度のベースラインを歩行周期に基づく速度の周期的変化から短時間スケールにおける速度の平均として算出し、歩行軌跡を、速度のベースラインからの加速度センサで検出された加速度の計測値を積分して求められた速度との変位分を積分することにより求め、水平面上の進行方向における歩行運動について、加速度センサで検出された加速度の計測値を積分して求められた速度から、当該求められた速度の短時間スケールにおける平均を差し引いてオフセットを除去した速度を求め、オフセットを除去した速度の振幅に定数倍したものを短時間スケールにおける平均速度として求め、オフセットを除去した速度に短時間スケールにおける平均速度を加えて、歩行軌跡の進行方向の速度を求める。
【００１９】
また、本発明の第４の態様は、第３の態様に係る歩容評価方法において、前記評価指標として、前記歩行者の左右移動量、上下移動量、前記左右移動量の非対称性、前記上下移動量の非対称性、歩幅、前記歩幅の非対称性、歩行周期、前記歩行周期の非対称性、移動量と折り返し量の比、上下振幅と体幹持ち上げ量の比、歩行周期の揺らぎ、重心の揺れ又は接地タイミングの非対称性を用いる。
【発明の効果】
【００２０】
本発明によれば、相互に同調を取り合う協調関係を人間−機械系において実現でき、歩行介助の現場に適用可能である。
また、相互適応を利用する歩行介助システムを使用した場合の歩行運動の改善効果を評価できる。
【図面の簡単な説明】
【００２１】
【図１】歩行介助システムを説明するための模式図である。
【図２】歩行介助システムの外観を例示する図である。
【図３】歩行介助システムの構成例を示す図である。
【図４】人間−機械系をコントロールするための非線形システムを模式的に示す図である。
【図５】加速度センサで歩行状態をモニターした例を示す図である。
【図６】歩行時の転倒防止効果の例を示す図である。
【図７】片麻痺への適用に関する運動力学的解析結果の例を示す図である。
【図８】加速歩行の緩和効果の例を示す図である。
【図９】第２の実施の形態における加速度センサの装着状態例を示す図である。
【図１０】左右方向の移動量計算を示す図である。
【図１１】健常者と片麻痺患者の歩行軌跡の例を比較した図である。
【図１２】健常者と片麻痺患者の歩行軌跡の例を比較した図である。
【図１３】速度による腹部軌跡の変化の例を示す図である。
【図１４】歩行パラメータの推移の例を示す図である。
【図１５】歩行介助システム使用の効果の例を示す図である。
【発明を実施するための形態】
【００２２】
以下に、図面に基づき本発明の実施の形態について説明する。
【００２３】
図１に本発明の第１の実施の形態における歩行介助システム１を説明するための模式図を示す。第１の実施の形態はシステムを高齢者や障害者の歩行介助に利用する例である。歩行者Ｐはセンサ部２として加速度センサを左右両足首に、本体部３を腰に、刺激発生部４としてヘッドホンを頭に装着している。歩行介助システム１全体をウエアラブル・ユニットとしたもので、本体部３は携帯型のコンピュータを主としており、歩行者用の制御プログラム（アルゴリズム５）を内蔵し、センサ部２から運動リズムとしての歩行リズムの測定値を受信し、測定された歩行リズムと歩行者用に予め設定された歩行リズムの目標値に基づいてタイミング信号を生成し、タイミング信号を用いてヘッドホン４にリズム刺激としてのリズム音を送信する。本体部３と加速度センサ２間、本体部３とヘッドホン４間の通信には有線又は無線通信が用いられ、例えばブルーテゥース等を使用する。歩行者Ｐはヘッドホン４からリズム刺激を聴きながら歩行する。
【００２４】
本体部３の携帯型コンピュータには、アルゴリズム５により仮想空間の仮想ロボットを形成する。仮想ロボットはタイミング信号からリズム音を生成し、歩行リズムは足音として合成され、歩行者Ｐにあたかも誰かと並んで一緒に歩いているような感覚を与える。すなわち、仮想ロボットと実空間の歩行者Ｐの間で、足音の交換による身体的インタラクションの過程に共創型インタフェース技術が用いられているのである。これによってロボットと人間の歩行リズムを同調させ、歩行者Ｐの歩行運動の安定化を実現するのである。このようにして、高齢者の転倒防止に加えて、パーキンソン病や片麻痺など多くの歩行障害の症状を緩和させることができる。
【００２５】
図２に歩行介助システム１の外観を例示する。図２（ａ）は歩行介助システム１を構成する各機器の外観を示し、図２（ｂ）は歩行者Ｐが歩行介助システム１を装着した状態を示す。２は左右それぞれの足首に装着するセンサ部で、加速度センサ、ＣＰＵ、無線モジュール、バッテリー等を搭載している。３は本体部で携帯型コンピュータ３Ａと無線型変換ユニット３Ｂから構成され、無線型変換ユニット３Ｂには左右両センサ部２Ｌ、２Ｒと通信するための無線モジュール、ＣＰＵ、携帯型コンピュータ３Ａと通信するためのＵＳＢコントローラ等を搭載し、携帯型コンピュータ３Ａには、センサ部２からの情報に基づいてタイミングを計算し、リズム音を人間にフィードバックするために、ＣＰＵ，メモリ等を有する。４はリズム音を人間にフィードバックする刺激発生部としてのヘッドホンである。
【００２６】
歩行介助システム１をウエアラブル化するために、センサ部２について、従来のモデルでは、その重量やサイズ等に起因する装着性に問題があり、小型軽量化が必要であった。人間の歩行運動を計測できる各種センサのうち、小型化が容易であること、さらに、計測に伴って人間に不自然な負荷をかけないこと等を基準に加速度センサを採用した。３軸加速度センサを足首に装着して脚運動を計測する小型のシステムとした。センサ部２の重量は６０ｇ程度であり６時間以上の連続使用が可能である。
【００２７】
また、歩行介助システム１はセンサ部２と本体部３を備える。従来のモデルではケーブルでこれら２つのサブシステムを接続していたが、そのままでは使いにくさだけでなく、脚部に絡まるなど安全性の面でも問題点が指摘されていた。これを解決するために微弱無線システムを採用することで、コードレス化を実現した。現状では、無線で２０〜３０ｍにおよぶ信号の伝達が可能になり、同時に４０ｃｈにまで拡張でき、また医療機器との干渉はない。この結果、センサ部２を本体部３から完全に分離することが可能となった。また、歩行介助システム１の歩行者Ｐへの装着も非常に容易になり、さらに身体運動に対する制約もない。
【００２８】
図３に第１の実施の形態における歩行介助システム１の構成例を示す。
センサ部２は歩行者の運動及び体調に関する諸情報を検出するためのセンサを有するもので、検出部２１および信号出力部２４を有する。
【００２９】
検出部２１では、運動リズムを検出するセンサを用いて、歩行運動に伴う脚運動や腰揺れ等の運動リズムの検出を行なう。例えば、歩行者の足首、腰等に加速度センサを装着し、加速度変化時を検出することで、歩行リズム（周期など）、足の接地タイミング等に関する情報を取得できる。また、例えば圧力センサを用いて接地タイミングを検出しても良く、歩数計等で歩行リズムを検出しても良い。
【００３０】
検出部２１に、歩行者の生理情報（体調）を検出するセンサ（図示しない）を追加して、運動リズムの検出に併せ、歩行者の心拍や呼吸や筋電位等の生理情報の検出を行なっても良い。これにより歩行者の体調を管理でき、無理のない歩行介助、歩行リハビリテーションを実施できる。
【００３１】
信号出力部２４では、検出部２１で検出した情報に、必要ならノイズ除去などの適切な前処理を施し、測定値として本体部３に送出する。この信号の送出には、各センサの装着位置などに応じて有線あるいは無線を用いる。特にセンサ部を脚や腰に装着する場合は、無線接続することによって、センサの装着性および安全性を改善できる。さらに無線接続の場合には、複数のセンサを同一歩行者の様々な身体部位に装着することが可能になり多種の情報の検出に便宜である。
【００３２】
本体部３は、センサ部２で検出された諸情報に基づいて演算処理を行い、タイミング信号を生成する。すなわち、センサ部２で検出された運動情報や生理情報に基づいて、目標とする運動リズムを実現するためのタイミング制御を行ない、刺激発生部４にリズム音又は音楽等のリズム刺激を発生させ、歩行者の歩行をコントロールする。本体部３は、入力部３１、インタフェース部３２、記録部３３、目標設定部３４、演算部３５、タイミング生成部３６、出力部３７および制御部３８を有する。
【００３３】
入力部３１では、センサ部２で検出された運動情報や生理情報を測定値として受け取る。受け取った情報は記録部３３に蓄積され、演算部３５、タイミング生成部３６での演算に使用される。この情報の受信には、各センサの装着位置などに応じて、有線あるいは無線が用いられる。
【００３４】
インタフェース部３２は、ヒューマンインタフェースおよびネットワークインタフェースとして機能する。ヒューマンインタフェースとしては、本体部ケースに設けられたボタンやつまみの操作などにより、歩行リズム（周期など）、接地タイミング等の運動リズムの目標値の設定や調整を行なう。また、歩行前に備え付けのパーソナルコンピュータ（図示しない）に接続して、パーソナルコンピュータから目標値の設定を行ない、歩行中はパーソナルコンピュータから切り離して使用しても良い。設定された目標値は目標設定部３４に記録される。備え付けのパーソナルコンピュータを利用すると、歩行者の過去のデータに基いてパーソナルコンピュータで演算した目標値を使用でき、また、高齢者、歩行障害者、健常者その他多くの歩行者のデータを参照して、目標値を設定することも可能であり、歩行データの解析に利用することもできる。
【００３５】
また、無線を介して、備え付けのパーソナルコンピュータに接続した場合は歩行中でも使用でき、パーソナルコンピュータで大量の演算処理を行い、本体部３にデータを送信することも可能である。さらに、無線を用いる場合には、ネットワーク９を介して外部のパーソナルコンピュータと連絡することも可能である。
【００３６】
記録部３３では、センサ部２から送られてきた歩行リズム等の運動情報データ、生理情報データを記録し、また、これらのデータに基づいて演算部３５で演算された歩行リズム（周期など）、接地タイミング、歩行距離、歩行スピードなどの運動情報、生理（体調）情報を測定値として格納する。さらに、目標値に関する情報を目標設定部と重複して格納しても良い。例えば目標値が多数の場合や時間の関数の場合には、全データを記録部３３に格納し、現時点の歩行に必要な部分を抽出して目標設定部に格納した方が便宜である。これらの情報は歩行中は演算部３５で各種演算に使用され、またタイミング生成部３６においてリズム刺激のタイミング生成のために使用される。歩行終了後にはメモリカード等を用いて歩行前や歩行中に蓄積されたデータを外部に取り出し、備え付けのパーソナルコンピュータ等で解析し、表示しても良い。記録部３３として揮発性メモリ（ＲＡＭ）などを使用できる。
【００３７】
目標設定部３４では、歩行者、介助者などがインタフェース部３２を介して入力した運動リズムなどの目標値を記録する。目標値としては歩行リズム（周期など）、接地タイミング、歩行距離、歩行スピードなどの運動情報、生理（体調）情報を設定できるが、目標値は単数でも複数でも良い。また歩行中に歩行者により本体部に設けたボタンやつまみの操作などにより目標値を更新できる。また、設定された目標値に基づいてタイミング生成部３６でリズム音などのリズム刺激を生成するためのタイミングが計算される。
【００３８】
演算部３５では、センサ部２で検出された運動情報データや生理情報データの測定値に基いて歩行リズム（周期など）、接地タイミング、歩行距離、歩行スピードなどを計算する。また、演算部３５で算定された運動情報データや生理情報データと目標設定部３４で設定された目標値に基づいてタイミング生成部３６でリズム音などのリズム刺激を生成するためのタイミングが計算される。
【００３９】
タイミング生成部３６では、センサ部２で検出された運動情報データや生理情報データの測定値と設定された目標値とに基づいて、リズム音などのリズム刺激のためのタイミングを計算し、タイミング信号を生成する。例えば、歩行者の歩行リズムと目標歩行リズムの差、歩行者の歩行スピードと目標歩行スピードの差、歩行距離と目標歩行距離の差、接地タイミングの測定値と目標接地タイミングの差、それらの任意の組み合わせに基づいてリズム音などのリズム刺激のためのタイミングを計算し、算定されたタイミングを用いてタイミング信号を生成する。タイミング信号は、例えば、水晶振動子からのクロックを分周して作成される。生成されたタイミング信号は、出力部３７を介して刺激発生部４に送信され、リズム音などのリズム刺激が生成される。
【００４０】
タイミング信号はリズムのテンポに関する情報とそれからのズレとしての位相差に関する情報から構成される。例えば、歩行リズムが遅すぎる場合には、リズム刺激のテンポを上昇させる、あるいは、リズム刺激の位相を進ませるようにタイミング信号を発生させ、歩行リズムが速すぎる場合には、リズム刺激のテンポを下降させる、あるいは、リズム刺激の位相を遅らせるように調整する。また、テンポに関する操作と位相に関する操作を独立に、あるいは、任意に組み合わせて行なうことも可能である。
【００４１】
制御部３８では、センサ部２、本体部３、刺激発生部４それぞれの内部及びセンサ部２、本体部３、刺激発生部４間の信号及びデータの流れを制御して、センサ部２で検出された運動情報データや生理情報データの測定値及び目標設定部３４に設定された目標値に基いて刺激発生部４にリズム刺激を発生させるタイミングをコントロールし、生成されたタイミング信号を刺激発生部４に出力する。
【００４２】
出力部３７は、タイミング生成部３６において生成されたタイミング信号を刺激発生部４に出力する。出力情報の送信には、刺激発生部４の装着位置などに応じて、有線あるいは無線が用いられる。
【００４３】
刺激発生部４は、本体部３から受信したタイミング信号に従ってリズム音などのリズム刺激を発生し、イヤホン、ヘッドホンやスピーカなどを用いて歩行者に提示する。歩行者には、リズム音以外にも、音楽によるリズム刺激を用いて提示しても良く、機能的電気刺激等を用いた触覚を介した腕や脚へのリズム刺激を用いて提示しても良く、ＬＥＤ（発光ダイオード）等を用いた視覚へのリズム刺激の提示も可能である。また例えば、歩行者に、歩行リズム、歩行距離、歩行スピードなどのデータを、手首にバンドで小型ディスプレイを取り付けて表示したり、ヘッドホンなどから音声出力したりすることも可能である。このようにすると、歩行者は歩行中のデータをリアルタイムに見ることができ、リハビリテーション中の歩行に直ぐにフィードバックできる。
【００４４】
図４に人間−機械系をコントロールするための非線形システム１０を模式的に示す。
非線形システム１０は制御器１１と制御対象１２から構成される。非線形性とは、制御器１１と制御対象１２の動的振舞（ダイナミクス）が分離できないことを意味している。従来のフィードバック制御は線形システムにその適用領域が限定されており、このことは制御器１１と制御対象１２のダイナミクスを分離できることに対応する。分離できるからこそ制御器１１が制御対象１２を制御することが可能になるのである。非線形システムの場合は両者のダイナミクスが分離できないから、制御することは制御されることになってしまい、いわゆるフィードバック制御は成立しない。非線形システム１０は、そのような意味で制御が困難なシステムである。しかし、非線形振動とその引き込み現象によって生じる同調関係に注目すれば制御が部分的に可能になる。
【００４５】
制御器としての歩行介助システム１１は、非線形システムとしての動的振舞を有する非線形システムモジュール（ＮＬＳモジュール）１３と非線形システムモジュール１３にフィードバックを行うフィードバックシステムモジュール１４から構成される。非線形システムモジュール１３は、同じく非線形振動系としての性質を有する制御対象としての歩行者１２との間で、相互作用における引き込み現象を介して同調状態を成立させる。フィードバックシステムモジュール１４は、非線形システムモジュール１３と歩行者１２との同調状態において、同調に係わる関係量１５を計算し、同調に係わる関係量１５と目標とする関係量とを比較することにより、適切なフィードバック制御量を計算し、同調に係わる関係量１５を変化させる非線形システムモジュール１３のパラメータを調整するようフィードバックをかける。これによって、同調に係わる関係量１５を目標とする関係量に相互適応的に収束させることにより、制御対象１２を制御するものである。すなわち、「関係的システム制御方法」を、非線形システムの制御方法として応用するものである。
【００４６】
本実施の形態においては、制御器１１および制御対象１２は非線形振動のダイナミクスを有するものとし、相互作用を介して引き込み現象を生じ同調するものとする。この引き込みは、非線形振動の相互作用に特徴的な同調現象であり、異なる振動数の非線形振動の間でダイナミクスが相互適応する過程で、自発的に同一の振動数かつ一定の位相関係で同調振動に至るのである。ここでは、非線形振動から同調状態に近づいていくので、同調状態には、同一の振動数かつ一定の位相関係に近い状態、例えば平均的に同一の振動数かつ平均的に一定の位相関係の状態を含むものとする。
【００４７】
このように、本実施の形態によれば、非線形システムとしての特性とフィードバック制御の特性を統合することで、制御器と制御対象のダイナミクスを明確に分離できない場合においても、それらの関係量を目標とする関係量へ収束させられる「関係的システム制御方法」を提供できる。すなわち、非線形システムについても、関係的システム制御方法を用いることによって、制御が可能になるのである。
【００４８】
なお、本実施の形態（図３に示す歩行介助システム１）では、歩行者１２から非線形システムモジュール１３へはセンサ部２を介して運動リズム１６が伝達され、非線形システムモジュール１３から歩行者１２へは刺激発生部４を介してリズム刺激１７が伝達される。本体部３における入力部３１、演算部３５、タイミング生成部３６、出力部３７および制御部３８等が非線形システムモジュール１３の機能を有し、目標設定部３４に設定された運動リズムの目標値が、センサ部２で測定された運動リズムと対比されて、リズム刺激の基になるタイミング信号が生成されるので、目標設定部３４がフィードバックシステムモジュール１４の機能を有する。例えば、運動リズムの位相差を関係量、運動リズムの目標値をパラメータとして、運動のピッチやタイミングを調整することが可能である。
【００４９】
本実施の形態における歩行介助システムは、計算機内の仮想空間の仮想ロボットと実空間の人間が足音を介して同調歩行し、その結果として歩行運動を安定化する共創型歩行介助システムである。そこでは人間の足音が仮想ロボットに伝えられ、仮想ロボットの足音が人間に戻されるだけであるにも関わらず、人間の歩行リズムが仮想ロボットの歩行リズムと同調する。誰かと並んで歩くときに自然と歩調が揃うことは日常的に体験されるが、同様に人間の歩行リズムと仮想ロボットの歩行リズムとが同調する現象を介して、歩行者の歩行の改善を図るものである。
【００５０】
図５に本実施の形態における加速度センサで歩行状態をモニターした例を示す。縦軸に加速度を、横軸に時間を示す。図５は脚運動の加速度の時間変化を示しており、特に急激な変動の見られる点が接地タイミングに対応しており、この加速度センサを用いて、脚の接地タイミングの検出によって歩行状態をモニターできている。
【００５１】
次に転倒防止への適用について検討した。
歩行運動の安定性を改善する必要から、歩行時の転倒防止を検討した。歩行運動はリズミックな運動であり、患者と介助装置の間でリズムを介する相互作用を実現することで安定化を達成した。具体的には４通りの介助方法（アルゴリズム）を比較した。
【００５２】
表１に比較の結果を示す。
（Ａ）は患者の脚運動のリズムをそのまま患者に聴覚刺激として聞かせる単純フィードバックの場合、（Ｂ）はメトロノームのように一定テンポのリズム音に合わせて歩く場合、（Ｃ）は介助システム内部のリズムと患者の歩行リズムが引き込みによって同調しながら歩く場合、（Ｄ）は（Ｃ）の場合に加えて、同調時のタイミングのズレを制御することで、歩行運動の促進や抑制の制御を行う場合である。Ｓ1及びＳ2のデータは患者の歩行の周期揺らぎの変動幅の平均値で、Ｓ1は歩行介助システム使用前のデータ、Ｓ2は歩行介助システム使用時のデータである。ｐはＳ1とＳ2のデータの差に基いて揺らぎの小さくなる程度を表す指標で、小さい程効果が大きいことを示すものである。これらの比較の結果から、（Ａ）、（Ｂ）はあまり効果がみられないが、（Ｃ）はｐが０．０５以下で効果が見られ、特に（Ｄ）はｐが０．０１以下で大きな効果を示し、アルゴリズムの有効性が示された。
【００５３】
図６に歩行介助システムによる歩行時の転倒防止効果の例を示す。縦軸に歩行周期（秒）を、横軸に時間（秒）を示す。歩行介助システム使用前は歩行周期の揺らぎが大きくなっているが、使用開始（図に矢印で示す）後には歩行周期がほぼ一定になり、歩行が安定化し、使用終了（図に矢印で示す）後にも安定な状態が持続されている。このように、不安定な歩行運動を安定化することができ、高齢者の転倒防止に応用できる。
【００５４】
次に片麻痺への適用について検討した。
片麻痺とは、脳血管障害や筋骨格系の障害等によって左右いずれかの半身に運動障害が現れる場合である。このときには、歩行介助システムにおいて、相互適応過程を、左右脚に対してそれぞれ個別に適用することで、左右脚間のバランスが改善され、片麻痺のような左右非対称な歩行障害の改善も可能になることが期待される。
【００５５】
歩行介助の立場からすれば、左右脚の運動の非対称性に起因して歩行運動の不安定性が生じるので、それを補填することの重要性が指摘されている。そこで転倒防止評価のときと同様に（Ａ）〜（Ｄ）のアルゴリズムを用いて比較を行なった。
【００５６】
表２に比較の結果を示す。Ｓ1及びＳ2のデータは患者の歩行の左右の脚の接地タイミングの非対称性（右足の接地から左足の接地までの時間と左足の接地から右足の接地までの時間との差）に関するデータで、絶対値が大きい程非対称であり、小さい程対称的であることを表している。＋−の一方が右足接地から左足接地までの時間が長く、他方がその反対である。ｐはＳ1とＳ2のデータの差に基いて非対称性の小さくなる程度を表す指標で、小さい程効果が大きいことを示すものである。Ｓ1は歩行介助システム使用前のデータ、Ｓ2は歩行介助システム使用時データである。これらの比較の結果から、（Ａ）、（Ｂ）、（Ｃ）はあまり効果がみられないが、（Ｄ）はｐが０．０１以下で大きな効果を示し、表１の場合と同様に、（Ｄ）のアルゴリズムの有効性が示された。特に患脚（障害側の脚）の運動促進と健脚（障害の無い脚）の運動抑制による両脚バランスを改善するアルゴリズムの有効性が示された。
【００５７】
さらに、（Ｄ）のアルゴリズムに対して運動力学的解析を行い、その実効性を力学的なレベルからも検討した。
【００５８】
図７に片麻痺への適用に関する運動力学的解析結果の例を示す。図７（ａ）に歩行中の身体の重心の左右方向の揺れを示す。縦軸に規格化された時間を、横軸に揺れを示す。Ｎは健常者の重心の軌跡、Ｓ1は歩行介助システム使用前の患者の重心の軌跡、Ｓ2は歩行介助システム使用時の患者の重心の軌跡である。歩行介助システムの使用によって左右方向の重心の揺れが減少し、安定化に有効であることがわかる。
図７（ｂ）に支持脚期における床反力から計算した力積を示す。縦軸は力積を示し、上側が加速側（接地から脚が離れる時）、下側が減速側（接地する時）に該当する。また、Ｎは健常者についての力積、Ｓ1は歩行介助システム使用前の患者についての力積、Ｓ2は歩行介助システム使用時の患者についての力積である。Ｓ1に比してＳ2で、患脚側の力積の増加と健脚側の力積の減少が見られ、支持脚期の力学的な左右バランスの改善が確認された。
【００５９】
次に、パーキンソン病への適用について検討した。
パーキンソン症とは、大脳基底核系の障害であり、歩行運動のリズム生成に問題を生じている。特に、歩き始めの「すくみ足」や、一旦歩き始めると止まれなくなる「加速歩行」などが歩行介助の観点からは重要である。
【００６０】
これはパーキンソン症など神経系による運動制御過程の障害であり、歩行介助システムにおいて、人間の歩行リズムと介助システムの歩行リズムの間での相互適応過程によって、両者の歩行リズムの位相関係が制御できる必要がある。脚接地よりも先行する位相で音刺激が加えられることで歩行運動が促進され、その逆の位相で音刺激が加えられることで歩行運動が抑制されると考えられる。これによって、すくみ足状態への運動促進や加速歩行状態への運動抑制が可能になる。ここでは、加速歩行のへの歩行介助について評価を行った。
【００６１】
図８に歩行介助システムによる加速歩行の緩和効果の例を示す。縦軸に歩行周期を、横軸に時間を示す。用いたアルゴリズムは同調時のタイミングのズレを制御する（Ｄ）のアルゴリズムであり、介助装置側のリズムが患者側よりも少し遅れて同調するように制御した。歩行介助システムの使用前には、歩行周期の揺らぎが大きいと共に、歩行周期が徐々に減少する加速歩行が見られ、介助システムとの協調歩行を開始した時刻（図中使用開始矢印で示す）から１分程度でほぼ一定の周期に安定化すると共に、揺らぎも小さくなることが見られる。なお、別の測定では、歩行介助システムの使用を止めても安定した状態がしばらく持続することが確認されている。このことは、本歩行介助システムの使用がパーキンソン病の加速歩行の防止に有効であることを示している。
【００６２】
次に第２の実施の形態について説明する。第２の実施の形態は歩行介助の評価を行なう例である。本実施の形態における歩行介助システムの構成は第１の実施の形態と殆ど同様である。ただし、加速度センサを腰に装着している点、評価用のアルゴリズムが制御部に追加されている点が異なる。加速度センサを腹部に装着している場合もあるが、特に断らない限りは腰に装着している場合である。
【００６３】
本実施の形態では、第１の実施の形態における歩行介助システムを用いて、センサ部２に加速度センサを用いて歩行者Ｐの動きを検出し、検出された動きから歩行者Ｐの歩行軌跡を求め、歩行軌跡に関する評価指標の時間的変化から歩行介助の効果を評価するものである。
【００６４】
本実施の形態における歩行介助システムをＷａｌｋ−Ｍａｔｅと称することとする。これは人間の歩行リズムと仮想ロボットの歩行リズムが相互に引き込まれる相互適応プロセスを利用し、歩調を促進、または抑制することのできる協調歩行システムである。
【００６５】
これまで、Ｗａｌｋ−Ｍａｔｅを歩行障害者に適用し、歩行運動の時間的側面、力学的側面から解析を行うことで有効性評価を進めてきた。しかしながら歩行介助機器として臨床への適用を目指すためには臨床で行われている分析、評価との対応が不可欠である。
【００６６】
臨床における歩行分析は主として目視によって行われており、医師と療法士は患者の歩行を観察し、障害の把握と治療効果の判定をしている。しかし目視による分析には経験等による個人差があり、客観性に欠けるということがある。その反面、光学式位置計測装置や床反力装置という極めて大掛かりな運動力学的解析装置が研究目的に用いられていた。この問題を解決するためには、患者の歩行を定量的に計測し、評価する必要がある。定量的評価法として運動学的分析があり、光学計測を用いた手法が取られている。しかし機器の高価さ、装置の大掛りさといった性質上、場所と計測時間が限定されてしまう。また、患者にかかる心身的負担も大きく、長時間の歩行を行った場合の変化、長期間における歩行の回復量推移を評価することは難しかった。つまり介助現場の主観的評価と研究目的の評価の中間的領域における評価手法が欠落していたのである。したがって本手法において計測される生体情報の時系列データに基づいて、新たな評価手法を開発することが求められる。
【００６７】
本実施の形態では加速度センサを用い、得られた加速度波形から装着部の歩行軌跡を求め、その軌跡から運動学的解析を行う手法を使用する。加速度センサは小型軽量であるため、歩行訓練時において装着した場合でも患者への負担は小さく、場所を限定する必要が無いため、長期の時間発展も容易に計測することができる。加速度センサから位置、移動量を求める方法は、接地や重力加速度などによる誤差の蓄積が問題となっており、誤差を排除するための先行研究は広く行われている。また近年加速度センサにおいて精度、分解能といった性能が向上しているので、より正確な加速度情報を得ることが可能となっている。
【００６８】
このような背景をふまえ、ここでは加速度情報から歩行軌跡を算出することで、臨床の歩行分析と照らし合わせた運動学的側面による指標を作成し、障害の把握、歩行訓練による回復量推移を評価する。そして歩行介助システムＷａｌｋ−Ｍａｔｅの使用による歩容の変化から、これまで行われてきた時間的側面、力学的側面の解析に運動学的側面から評価を加えることで、有効性評価を進めることとした。
【００６９】
次に歩行軌跡算出手法について説明する。
図９に、本実施の形態における加速度センサの装着状態例を示す。ここで提案する計測手法には三次元加速度センサ２を用い、歩行者Ｐの腰に装着することで加速度情報を計測し、軌跡を求める。腰に装着することで加速度センサ２に生じるノイズを減少できる。
【００７０】
また、腰に取り付けたセンサの空間座標系として左右方向をＸ（左側を正）、鉛直方向をＹ、進行方向をＺとして３次元方向の加速度をそれぞれ積分し速度、位置情報を求める。しかし、加速度Ａから速度Ｖを求めるにあたり、（式１）のような単純な積分では接地によるオフセット誤差が蓄積してしまう。そこで提案手法として、鉛直、左右方向の歩行運動に関し、両脚の交換による周期的な揺動運動であると仮定し、歩行周期から軌跡の中心となるベースラインを算出、計測値との変位分を積分することで軌跡を求める。
【００７１】
鉛直方向：  加速度情報を積分するにあたり、誤差を生じさせる要因として重力加速度の影響、脚接地時の衝撃が挙げられ、これは特に鉛直方向の誤差に影響する。しかしここでの歩行運動は水平面上に限定するため、鉛直方向に着目した場合、歩行運動は脚接地における腰の高さが常に等しくなるはずである。そこで（式２）に示すように、ある時点の歩行において前後１秒間という短期的な時間スケールから速度Ｖｙの平均値を求め、歩行運動のゼロ点となるベースラインとして、その平均値からの変位分を速度Ｖ’ｙとして積分することで誤差を排除した位置Ｙを得る。位置の積分においても同様の計算を行いＹ’を求める。
【００７２】
【数１】
2010264320.tif 000030
【数２】
2010264320.tif 000031
【００７３】
左右方向：  脚接地時における腰の高さが常に等しい鉛直方向に対し、左右方向に関しては設定したコースに対する歩行軌道の逸脱性が存在する。そのため、左右方向の歩行分析には短期的な一歩ごとの歩行軌跡の変化と、長期的に見たときのコースからの左右方向への逸脱性を別々に分けて評価する必要がある。移動量Ｘの算出は（式３）のように速度を積分し、速度の算出は（式２）と同様の計算を行う。一歩ごとで中心に揃えた歩行軌跡は、短期的時間スケール（前後１秒間）の平均Ｘ１ｓｅｃを用いる（式４）から、コースに対する逸脱性は長期的な時間スケール（前後５秒間）の平均Ｘ５ｓｅｃを用いる（式５）から算出する。
【００７４】
【数３】
2010264320.tif 000032
【数４】
2010264320.tif 000033
【数５】
2010264320.tif 000034
【００７５】
図１０に左右方向の移動量計算結果を示す。縦軸に横方向移動量、横軸に時間を示す。移動の軌跡と、短期的時間スケール（前後１秒間）の平均Ｘ１ｓｅｃ、長期的な時間スケール（前後５秒間）の平均Ｘ５ｓｅｃが示されている。
進行方向：  進行方向に関して、まずは鉛直、左右方向同様に、速度Ｖｚの平均を用いてオフセットを除去した速度Ｖ’ｚを求める。しかし鉛直、左右方向とは異なる点として、進行方向は移動距離Ｚを求めるため、周期的な運動と仮定し等速成分を除去してしまう（式２）の手法では、Ｖ’ｚは歩行中の速度振幅成分のみとなる。そのため次のような歩行速度推定手法を用いる。
【００７６】
速度振幅と歩行速度は回帰直線で近似することが可能であるため、（式６）に示すようにＶ’ｚの振幅（Ｖ’ｚｍａｘ）に定数α倍したものを短時間スケールにおける平均歩行速度として速度振幅成分Ｖ’ｚに加えることで歩行速度Ｖ”ｚを求める。そしてＶ”ｚを再び積分することで移動距離Ｚを得る。振幅と速度の関係は個人によって異なり、αの値は実際の歩行距離と時間から個人ごとに計算し設定する必要がある。
【００７７】
【数６】
2010264320.tif 000035
【００７８】
このように三次元方向それぞれの動作に対応した計算法を使用することで三次元における歩行軌跡を得ることができる。
【００７９】
次に、歩行軌跡評価方法について説明する。
上記の手法から得られる歩行軌跡から、被験者ごとの障害の把握、歩行介助機器の評価を行うための指標を作成する。そのため対象となる片麻痺患者への適用を想定し、片麻痺患者の歩行運動における特徴点を挙げる。
【００８０】
図１１に健常者と片麻痺患者の歩行軌跡の例を比較して示す。図１１はその典型例である。左（図１１（ａ１）〜（ｃ１））を健常者、右（図１１（ａ２）〜（ｃ２））を片麻痺患者とし、上から、進行−鉛直方向（（ａ１）、（ａ２））、進行−左右方向（（ｂ１）、（ｂ２））、左右−鉛直方向（（ｃ１）、（ｃ２））の組み合わせとなり、ＬＨＣ（Ｌｅｆｔ  ｈｅｅｌ  ｃｏｎｔａｃｔ）は左踵の接地タイミング、ＲＨＣ（Ｒｉｇｈｔ  ｈｅｅｌ  ｃｏｎｔａｃｔ）は右踵の接地タイミングを示す。これらの歩行軌跡を定量的に評価するための指標として、各特長点を数値化する。
【００８１】
ＸＲ、ＸＬ：左右移動量
Ｘ’Ｒ、Ｘ’Ｌ：移動量と折り返し量の比（ＸＲＴ／ＸＲ、ＸＬＴ／ＸＬ）
Ｘａ：左右移動量の非対称性（ＸＬ／ＸＲ−１）
ＹＲ、ＹＬ：上下移動量
Ｙ’Ｒ、Ｙ’Ｌ：上下振幅と体幹持ち上量の比（ＹＲ／ＹＲＴ、ＹＬ／ＹＬＴ）
Ｙａ：上下移動量の非対称性（ＹＬ／ＹＲ−１）
Ｚ、Ｚａ：歩幅（ＺＬ＋ＺＲ）とその非対称性（ＺＬ／ＺＲ−１）
Ｔ、Ｔａ：歩行周期（ＴＬ＋ＴＲ）とその非対称性（ＴＬ／ＴＲ−１）
【００８２】
これら指標により、歩行における障害の把握と機器の有効性評価を行う。
次に有効性評価の測定方法を説明する。
被験者として２０代の健常男性５名について、直線５０ｍを以下の条件で測定した。
・被験者自身が遅い、普通、早いと感じる速度で歩行
・擬似片麻痺患者を想定し、右膝、足首を固定し歩行
・擬似片麻痺の状態で、Ｗａｌｋ−Ｍａｔｅを使用して歩行
【００８３】
臨床での計測として、片麻痺患者３名に協力をしていただき、自由歩行、そしてＷａｌｋ−Ｍａｔｅを使用した歩行の２種類の条件で計測を行った。片麻痺患者３名（Ａ、Ｂ、Ｃ）の年齢、麻痺度、歩行能力は表３に示す。
【００８４】
また、実験システムとして使用する歩行介助システムＷａｌｋ−Ｍａｔｅは人の足首に装着した加速度センサ（本実施の形態では腰に装着）から脚接地を検出し、これを人間の歩行リズムとして計算機内の仮想ロボットにおける歩行リズムと相互に引き込み、協調歩行を行うシステムである。
【００８５】
次に測定結果について説明する。まず、歩行軌跡の算出を行なう。
図１２に歩行計測より得られた被験者の加速度情報を積分し、実際に得られた軌跡の一例を示す。左（図１１（ａ１）〜（ｃ１））を健常者、右（図１１（ａ２）〜（ｃ２））を片麻痺患者とし、上から、進行−鉛直方向（（ａ１）、（ａ２））、進行−左右方向（（ｂ１）、（ｂ２））、左右−鉛直方向（（ｃ１）、（ｃ２））の組み合わせとなる。これまでの歩行分析とここで得られた歩行軌跡から、左脚接地（ＬＨＣ）から右脚接地（ＲＨＣ）まで健常者は以下の組み合わせで歩行を行っていることがいえる。
【００８６】
鉛直：  下降（重心の移動）  
上昇（遊脚の脚上げ、支持脚の体幹持ち上げ）
下降（接地のために遊脚が下降）
左右：  支持側へ移動（重心の移動）
遊脚側へ折り返し（次の支持脚への移動）
また、健常者の歩行と片麻痺患者とを比較した場合、患側遊脚（ＬＨＣからＲＨＣ）、健側遊脚（ＲＨＣからＬＨＣ）において左右軌跡、上下軌跡、歩幅がそれぞれ異なる。これを片麻痺患者の特徴として以下のものが挙げられる。
・左右振幅が大きく、上下振幅が小さい。
・健側遊脚において端からの折り返しが行われない。
・健側遊脚の鉛直方向において体幹が上昇しない。
このように得られた歩行軌跡から、健常者と片麻痺患者の体幹の挙動は軌跡の目視の段階で大きく異なる特徴点を持っていることが確認できる。
【００８７】
次に歩行軌跡の評価を行なう。次に歩行軌跡から得られた各歩行パラメータを表４に健常者、擬似麻痺被験者、片麻痺被験者３名（Ａ，Ｂ．Ｃ）の順に示す。
表４の左右方向Ｘにおいて、健常者の右側振幅ＸＲ３．３９±０．７０に比べ、擬似被験者の患側振幅ＸＲは２０．８５±６．２３、患者ＡのＸＲは６．７７と大きい値を持つ。
【００８８】
このとき、擬似片麻痺被験者と患者Ａの間では、左右、鉛直両方向に擬似被験者が大きな値を持つ。これは片麻痺患者が筋群の低緊張による不安定性、痙性の筋緊張による反射活動などによって運動の広がり、パターンが制限されていることに対し、擬似片麻痺は関節固定による擬似障害であるため、同じ患側において筋肉、股関節といった他の部位によって補う挙動が行われる。このため、両者の振幅において大きな差異が生じることになる。
【００８９】
一方、これまでに、速度の増加と共に左右振幅は歩行減少、上下振幅は増加することが報告されている。そのため、振幅のみによる評価は困難となっている。この確認実験として健常被験者が遅い、普通、速いと感じる３種類の速度で歩いた結果を表５に示す。
【００９０】
図１３に、上記確認実験による軌跡の例を示す。上から、遅い（図１３（ａ））、普通（図１３（ｂ））、速い（図１３（ｃ））と感じる３種類の速度で歩いた結果の軌跡を示す。なお、加速度センサは腹部に装着し、確認結果は腹部の軌跡を示す。その結果、速度の増加に伴い、平均左右振幅ＸＬは６．５７、３．３９、２．００と減少し、鉛直方向において平均上下振幅ＹＬは１．２５、２．３５、２．９０と増加する傾向を見せた。これはＸＲ、ＹＲでも同様の傾向を示された。しかし各非対称性（Ｘａ、Ｙａ、Ｚａ）、体幹持ち上げ量の比（Ｙ’）には変化が見られなかった。
【００９１】
以上の結果から、直接的に振幅、移動量から評価を行うのではなく、非対称性（Ｘａ、Ｙａ、Ｚａ）、移動量に対する折り返し比（Ｘ’Ｌ、Ｘ’Ｒ、Ｙ’Ｌ、Ｙ’Ｒ）を評価指標として用いる。非対称性以外の指標としてＸ’Ｌ、Ｘ’Ｒはその値が小さい場合、支持脚側への転倒リスクがあり、それを防ぐため遊脚が先回りしていることを示す。しかしながら、歩行運動は重心をスムーズに動かすことで位置エネルギーと運動エネルギーを無駄なく変換しているため、重心が支持側に乗ったままでは次の動作へのエネルギー変換がスムーズに行われない。また、  Ｙ’Ｌ、Ｙ’Ｒはその値が小さいほど支持脚における踵上昇、脚の伸展が行われていないことを示し、上下の運動エネルギーと位置エネルギーの変換がスムーズに行われず、非効率な歩行となっていることを示す。
【００９２】
図１４に、このような各歩行パラメータを指標として健常者Ｎ、擬似被験者Ｑ、患者Ａに照らし合わせた場合の推移の例を示す。上から指標Ｘａ（図１４（ａ））、Ｙ’Ｌ（図１４（ｂ））、Ｚａ（図１４（ｃ））、Ｔａ（図１４（ｄ））に関するデータである。図は歩行中の３０ステップ分を抽出したものである。
【００９３】
表４より、まず左右非対称性であるＸａは健常者Ｎ平均０．０４±０．１０に対し擬似被験者Ｑは−０．５６±０．１０、患者Ａは−０．５５と、患側遊脚時に大きい値を持つ。これは体幹を健側に傾けることで患側を持ち上げ、ぶん回し歩行を行うためであり、鉛直方向においても、Ｙ’Ｒ（図示せず）は患脚の持ち上げでは無く体幹の傾きにより上下動を行うため、健常者平均０．９０±０．０７に比べ擬似被験者は０．８２±０．２０、患者Ａは０．６３と異なる値をとる。一方Ｙ’Ｌは健常者Ｎが０．９４±０．０４に対し擬似被験者Ｑ、患者Ａともにほぼ０である。これは支持脚において、前進に従い踵を持ち上げ駆動力を生むという一連の運動生成が患側では行えないためである。これはどちらも片麻痺歩行におけるぶん回し歩行の特徴となっている。
【００９４】
患者Ｂにおいて左右非対称性Ｘａは−０．１４と、患者ＡのＸａである−０．５５よりも小さい値を持ち、健常者のＸａに近い。これは杖によって患側の支持能力の低下が補われ、健側遊脚であるＸＬが増加しているためである。しかしながらＸ’Ｒ、Ｘ’Ｌはほぼ０であることから、次の動作に繋げるための重心移動ができておらず、左右動に関して非効率な歩行だと言える。また、Ｙ’Ｌに関しても患者Ａの値０．０１に対し患者Ｂの値は０．６７と異なる値を持つ。これも杖によって患側支持期の体幹持ち上げ時に補助が行われるためである。
【００９５】
そして患者Ｃにおいて左右非対称性Ｘａは０．０３、上下非対称性Ｙａは−０．０８であり、健常者に近い値となっている。このことから、歩行リハビリテーションによって片麻痺歩行が改善し、健常歩行が行えるようになったことがいえる。一方Ｙ’Ｌは０．４２、Ｙ’Ｒは０．４５と両脚とも体幹の持ち上げ比は健常者のＹ’に比べ小さい。これは健常被験者が２０代であるのに対し、患者Ｃの年齢が７０代であるということを考慮せねばならず、この結果は年齢差による運動能力の違いであると考えられる。
以上の健常者と片麻痺患者の比較において、作成した指標を用いることで絶対評価による歩行障害の把握、歩容の改善を評価できることが示された。
【００９６】
次に、歩行介助システムＷａｌｋ−Ｍａｔｅの有効性評価について説明する。
Ｗａｌｋ−Ｍａｔｅ使用による歩行パラメータの変化を表６に被験者順で平均値、変化率（％）の順に示す。
【００９７】
図１５にＷａｌｋ−Ｍａｔｅ使用による擬似被験者と患者Ａにおける歩行軌跡の変化の例を示す。図１５は左右−鉛直方向のデータであり、左（図１５（ａ）、（ｂ））を擬似被験者Ｑ、右（図１５（ｃ）、（ｄ））を患者Ａとし、上から、歩行介助システム使用前（（ａ）、（ｃ））、使用中（（ｂ）、（ｄ））、の組み合わせとなる。これまで報告されている時系列解析による評価は、歩行周期の非対称性Ｔａの緩和であり、擬似被験者Ｑは６５％、患者Ａは１３％、患者Ｂは１４％の改善が見られた。なお、患者ＣについてはＷａｌｋ−Ｍａｔｅ使用前の表４の結果より左右対称であることが示されているため、変化は見られなかった。
【００９８】
次に本実施の形態で示した指標を用いて被験者ごとの評価を行う。擬似被験者Ｑと患者Ａにおいて、Ｘａで擬似被験者Ｑは５０％、患者Ａは１１％の緩和が見られる。また、健側遊脚における折り返し量Ｘ’Ｌでは擬似被験者Ｑは１５％、患者Ａは６％増加していることから、患脚支持期において次の動作にスムーズに結びつけることが出来ているといえる。また、歩幅の非対称性Ｚａにおいても擬似被験者Ｑは７７％、患者Ａでは３４％の改善により、健側遊脚中の移動量ＺＬが増加していることが示される。これは患側における支持力の増加により、健側の運動量が増加したためである。しかしながら擬似被験者Ｑと患者Ａにおいて、健側遊脚中の体幹持ち上げＹ’Ｌにおいては大きく異なり、患者ＡはＹ’Ｌにおいて変化しない。これは麻痺部位の差であり、擬似披験者Ｑは固定されていない部位を用い、片麻痺患者よりも多くの運動パターンが可能なためである。患者Ｂに関しては歩幅の非対称性Ｚａが−０．４３から−０．３３へ、２２％緩和されている。しかしながら左右非対称性Ｘａにおいて使用前が−０．０１、使用中は−０．０６となり、変化は見られなかった。これは杖の使用によりＷａｌｋ−Ｍａｔｅ使用前から左右動の支援が行われているためであり、Ｘ’Ｒ、Ｘ’Ｌにおいても同様に、変化量は２〜３％であった。一方患者Ｃに関しては、歩行周期の非対称性同様、変化は見られない。
【００９９】
このように、Ｗａｌｋ−Ｍａｔｅの使用によって改善される度合いは被験者の状態、歩行能力の差によって大きく異なる。しかしながら同一被験者において、機器の使用による各指標の変化を相対評価することにより、歩行介助機器としてのＷａｌｋ−Ｍａｔｅの有効性を評価できることが確認された。
【０１００】
本実施の形態によれば、相互適応を用いる歩行介助システムを使用した場合の歩行運動の改善効果を評価できる。なお、相互適応を用いる歩行介助システムに限定されず、通常の歩行介助システムを使用した場合にも適応できる。第１に、個別の患者の歩行運動にかかわる評価指標の時系列データから個別の患者についての改善効果を評価できる。例えば、歩行運動の左右非対称性による片麻痺歩行の評価が可能である。また、歩行周期を評価指標に選べば、その時間変化による加速歩行やすくみ足の評価が可能である。第２に、歩行介助システム使用前と使用中の評価指標の変化から、システム使用による効果を評価できる。この場合に目標値を種々変化させて、どのように設定したら効果が大になるかも評価できる。以上により、歩行介助の改善効果に関する適切な評価が期待される。また、コンピュータで解析処理するのでリアルタイムの評価が可能である。
【０１０１】
また、本実施の形態によれば、歩行者の歩容を客観的に評価するための評価方法を提供できる。
【０１０２】
なお、本発明は上述の実施の形態に限らず本発明の要旨を逸脱することなくその他種々の構成を採り得ることはもちろんである。
【０１０３】
例えば、本実施の形態では、リズム刺激としてリズム音を用いる例を説明したが、光刺激又は機能的電気刺激光を用いても良い。また、運動リズムを検出するセンサは足首や腰以外に装着しても良く、また、加速度センサに限られず、圧力センサや歩数計等を用いても良い。また、生理情報を検出するセンサを使用し、目標値に心拍や呼吸や筋電位等の生理情報を追加しても良い。また、評価指標を目標値に用いて、相互適応を利用する歩行介助システムの応用を広げることも可能である。また、被介助歩行者は歩行障害者や高齢者に限られず、健常者の坂道での歩行スピードの調整や幼児の歩行練習にも適用できる。
【０１０４】
また、本発明の第１の局面に係る歩行介助システムは、例えば図３に示すように、歩行者の運動リズムを検出するセンサ部２と、センサ部２で検出された運動リズムの測定値を記録する記録部３３と、歩行者の運動リズムに関する目標値を設定する目標設定部３４と、測定値と目標値とに基づいてタイミング信号を生成するタイミング生成部３６と、タイミング生成部３６により生成されたタイミング信号に基づいて、歩行者が認識可能なリズム刺激を発生する刺激発生部４とを備える。
【０１０５】
このように構成すると、相互に同調を取り合う相互適応を人間−機械系において実現し、歩行介助の現場に適用できる。
【０１０６】
また、本発明の第２の局面は、第１の局面に係る歩行介助システムにおいて、例えば図４に示すように、歩行者の運動リズムとタイミング信号とは非線形的な同調状態を形成し、目標値は同調状態を変化させるパラメータとして用いられる。
【０１０７】
このように構成すると、人間の運動リズムと歩行介助システムのタイミング信号とが相互に同調し合い、かかる同調状態に目標値を付与して同調の周波数や周期を望ましい方に制御する非線形制御システム（関係的システム）を構成できる。これにより目標値を適宜調整して、多様な障害状態にある歩行者の歩行介助に適用できる。
【０１０８】
非線形システムの制御は関係的システムを用いることにより初めて実現できる。本歩行介助システムに次のような関係的システム制御手法を導入する。つまり、本体部を、非線形システムとしての動的振舞を有する非線形システムモジュール（ＮＬＳモジュール）１３と非線形システムモジュール１３にフィードバックを行うフィードバックシステムモジュール１４から構成される。非線形システムモジュール１３は、同じく非線形振動系としての性質を有する制御対象としての歩行者１２との間で、相互作用における引き込みを介して同調状態を成立させる。フィードバックシステムモジュール１４は、非線形システムモジュール１３と歩行者１２との同調状態において、同調に係わる関係量１５を計算し、同調に係わる関係量１５と目標とする関係量とを比較することにより、適切なフィードバック制御量を計算し、同調に係わる関係量１５を変化させる非線形システムモジュール１３のパラメータを調整するようフィードバックをかける。これによって、同調に係わる関係量１５を目標とする関係量に「相互適応」的に収束させることにより、制御対象１２を制御するものである。
【０１０９】
また、本発明の第３の局面は、第２の局面に係る歩行介助システムにおいて、同調状態は引き込み現象を有する。
【０１１０】
ここにおいて、引き込み現象とは、異なる非線形振動の間でダイナミクスが相互適応する過程であり、異なる振動数の非線形振動が相互作用を介して自発的に同調状態に至る現象をいう。このように構成すると、歩行運動における引き込み現象に着目して、かかる相互適用型インフェース技術を高め、歩行運動における安定性を高められる。これにより、高齢者の転倒防止等に応用できる。
【０１１１】
また、本発明の第４の局面は、第２又は第３の局面に係る歩行介助システムにおいて、目標設定部３４は目標値を外部から調整可能とし、運動リズムとリズム刺激との差異を調整可能とする。
ここにおいて、外部から調整可能とは外部から設定入力が可能なこと及び押しボタンや可変抵抗等で調整可能なことを含む。このように構成すると、脚接地と音刺激のタイミングのずれを調整でき、パーキンソン病等に現れる加速歩行やすくみ足に適用して、歩行運動の促進や抑制が可能となり、これらの障害を改善できる。
【０１１２】
また、本発明の第５の局面は、第１乃至第４のいずれかの局面に係る歩行介助システムにおいて、センサ部２は左右両足にそれぞれセンサ２１を有し、それぞれのセンサ２１はそれぞれ左右両足の運動リズムの測定値を検出し、目標設定部３４は左右のリズム刺激に対してそれぞれ目標値を設定可能であり、タイミング生成部３６は、２組の測定値と目標値の組み合わせに基づいて左右のリズム刺激に係るそれぞれのタイミング信号を生成し、刺激発生部４はそれぞれのタイミング信号に基づいて左右の耳又は目にそれぞれリズム刺激を発生する。
【０１１３】
このように構成すると、左右脚の歩行運動を個別に制御でき、片麻痺歩行等の非対称な歩行障害に適用でき、これらの歩行障害を改善できる。
【０１１４】
また、本発明の第６の局面は、第１乃至第５のいずれかの局面に係る歩行介助システムにおいて、例えば図１に示すように、センサ部２は加速度センサを有し、刺激発生部４はリズム刺激として音声刺激、光刺激又は機能的電気刺激を発生し、本体部３は携帯型で記録部３３と目標設定部３４とタイミング生成部３６を有する。
このように構成すると、歩行介助システムを歩行障害者を含む歩行者に装着可能に構成でき、歩行介助システムによりリハビリテーションを支援できる。
【０１１５】
また、本発明の第７の局面に係る歩行介助評価方法は、センサを用いて歩行者Ｐの動きを検出する工程と、検出された動きから歩行者Ｐの歩行軌跡を求める工程と、歩行軌跡に関する評価指標の時間的変化から歩行介助の改善効果を評価する工程とを備える。
【０１１６】
このように構成すると、歩行介助システムを使用した場合の歩行運動の改善効果を評価できる。相互適応を用いる歩行介助システムを使用した場合にも適応できる。第１に、個別の患者の歩行運動にかかわる評価指標の時系列データから個別の患者についての改善効果を評価できる。例えば、歩行運動の左右非対称性による片麻痺歩行の評価が可能である。また、歩行周期を評価指標に選べば、その時間変化による加速歩行やすくみ足の評価が可能である。第２に、歩行介助システム使用前と使用中の評価指標の変化から、システム使用による効果を評価できる。この場合に目標値を種々変化させて、どのように設定したら効果が大になるかも評価できる。以上により、歩行介助の改善効果に関する適切な評価が期待される。また、コンピュータで解析処理するのでリアルタイムの評価が可能である。
【０１１７】
また、本発明の第８の局面は、第７の局面に係る歩行介助評価方法において、評価指標として歩行軌跡の非対称性又は移動量に対する折り返し比を用いる。
このように構成すると、高精度で効率的に評価結果を得られる。
【０１１８】
また、本発明の第９の局面に係る歩容助評価方法は、センサを用いて歩行者の動きを検出する工程と、検出された前記動きから歩行者の歩行軌跡を求める工程と、前記歩行軌跡に関する評価指標の時間的変化から歩行者の歩容を評価する工程とを備える。
このように構成すると、歩行者の歩容を客観的に評価するための評価方法を提供できる。
【産業上の利用可能性】
【０１１９】
本発明は、高齢者や障害者の歩行運動支援やリハビリテーション支援のために利用される。
【０１２０】
【表１】
2010264320.tif 000036
【表２】
2010264320.tif 000037
【表３】
2010264320.tif 000038
【表４】
2010264320.tif 000039
【表５】
2010264320.tif 000040
【表６】
2010264320.tif 000041
【符号の説明】
【０１２１】
１    歩行者介助システム
２    センサ部
２Ｌ、２Ｒ  左右のセンサ
３    本体部
３Ａ  携帯型コンピュータ
３Ｂ  無線型変換ユニット
４    刺激発生部
５    アルゴリズム
９    ネットワーク
１０  非線形システム
１１  制御器
１２  制御対象
１３  非線形システムモジュール
１４  フィードバックシステムモジュール
１５  関係量
１６  運動リズム
１７  リズム刺激
２１  検出部
２４  信号出力部
３１  入力部
３２  インタフェース部
３３  記録部
３４  目標設定部
３５  演算部
３６  タイミング生成部
３７  出力部
３８  制御部
Ｐ    歩行者
【手続補正２】
【補正対象書類名】特許請求の範囲
【補正対象項目名】全文
【補正方法】変更
【補正の内容】
【特許請求の範囲】
【請求項１】
歩行者の運動リズムを含む動きを検出する加速度センサからなるセンサ部と；
前記センサ部で検出された前記運動リズムを含む動きの測定値を記録する記録部とを備え；
前記加速度センサで検出された前記歩行者の動きから前記歩行者の三次元の腰又は腹部の揺動運動の軌跡を求め、前記揺動運動の軌跡に関する評価指標から歩行者の歩容を評価する；
歩容評価システムであって；
水平面上の鉛直、左右方向における歩行運動について、軌跡を算出する上での速度の中心となる速度のベースラインを歩行周期に基づく速度の周期的変化から短時間スケールにおける速度の平均として算出し、前記歩行軌跡を、前記速度のベースラインからの前記センサ部で検出された加速度の計測値を積分して求められた速度との変位分を積分することにより求め；
水平面上の進行方向における歩行運動について、前記センサ部で検出された加速度の計測値を積分して求められた速度から、当該求められた速度の短時間スケールにおける平均を差し引いてオフセットを除去した速度を求め、前記オフセットを除去した速度の振幅に定数倍したものを短時間スケールにおける平均速度として求め、前記オフセットを除去した速度に前記短時間スケールにおける平均速度を加えて、前記歩行軌跡の進行方向の速度を求める；
歩容評価システム。
【請求項２】
前記評価指標として、前記歩行者の左右移動量、上下移動量、前記左右移動量の非対称性、前記上下移動量の非対称性、歩幅、前記歩幅の非対称性、歩行周期、前記歩行周期の非対称性、移動量と折り返し量の比、上下振幅と体幹持ち上げ量の比、歩行周期の揺らぎ、重心の揺れ又は接地タイミングの非対称性を用いる；
請求項１に記載の歩容評価システム。
【請求項３】
コンピュータにより実行される方法であって；
加速度センサを用いて歩行者の動きを検出する工程と；
検出された前記歩行者の動きから前記歩行者の三次元の腰又は腹部の揺動運動の軌跡を求める工程と；
前記揺動運動の軌跡に関する評価指標から歩行者の歩容を評価する工程とを備える；
歩容評価方法であって；
水平面上の鉛直、左右方向における歩行運動について、軌跡を算出する上での速度の中心となる速度のベースラインを歩行周期に基づく速度の周期的変化から短時間スケールにおける速度の平均として算出し、前記歩行軌跡を、前記速度のベースラインからの前記加速度センサで検出された加速度の計測値を積分して求められた速度との変位分を積分することにより求め；
水平面上の進行方向における歩行運動について、前記加速度センサで検出された加速度の計測値を積分して求められた速度から、当該求められた速度の短時間スケールにおける平均を差し引いてオフセットを除去した速度を求め、前記オフセットを除去した速度の振幅に定数倍したものを短時間スケールにおける平均速度として求め、前記オフセットを除去した速度に前記短時間スケールにおける平均速度を加えて、前記歩行軌跡の進行方向の速度を求める；
歩容評価方法。
【請求項４】
前記評価指標として、前記歩行者の左右移動量、上下移動量、前記左右移動量の非対称性、前記上下移動量の非対称性、歩幅、前記歩幅の非対称性、歩行周期、前記歩行周期の非対称性、移動量と折り返し量の比、上下振幅と体幹持ち上げ量の比、歩行周期の揺らぎ、重心の揺れ又は接地タイミングの非対称性を用いる；
請求項３に記載の歩容評価方法。
【手続補正３】
【補正対象書類名】図面
【補正対象項目名】図４
【補正方法】変更
【補正の内容】
【図４】
2010264320.tif 000042